(57)【要約】【課題】空調空気を加湿する空調運転を実施することができ、空調機の加湿エレメントの殺菌が必要な場合に機能水を利用した殺菌運転を実施することができる空調システムを提供する。【解決手段】空調システム１０Ａでは、測定湿度が設定湿度に達していない場合、加湿エレメント２２が空調機１２によって作られた空調空気を加湿する第１空調運転を実施し、測定湿度が設定湿度に達している場合、加湿水供給ライン１３から加湿エレメント２２への加湿水の給水を停止し、空調機１２によって作られた空調空気を空調室１１に供給する第２空調運転を実施し、加湿エレメント２２に発生した菌を殺菌する場合、加湿水給水ライン１３からの加湿水の給水を停止しつつ、機能水貯水タンク３９，４１に貯水された機能水を加湿エレメント２２に所定時間給水する殺菌運転を実施する。【選択図】図１
2013053767.tif 000002
【特許請求の範囲】
【請求項１】
空調室に空調空気を供給する空調機と、前記空調機に設置された加湿機構に加湿水を給水する加湿水供給ラインと、前記加湿機構を殺菌する機能水を該加湿機構に供給する機能水供給ラインとを備え、前記機能水供給ラインが、一定量の前記機能水を貯水する機能水貯水タンクと、前記機能水貯水タンクに貯水された機能水を前記加湿機構に送水する送水ポンプとを有し、
前記加湿水供給ラインから前記加湿機構へ加湿水を給水するとともに、前記加湿機構が前記空調機によって作られた空調空気を加湿する第１空調運転と、前記加湿水供給ラインからの前記加湿機構への加湿水の給水を停止するとともに、前記空調機によって作られた空調空気を前記空調室に供給する第２空調運転と、前記加湿機構に発生した菌を殺菌する場合に前記第１および第２空調運転を停止して該加湿機構を殺菌する殺菌運転とのいずれかを実施し、
前記殺菌運転では、前記加湿水給水ラインからの加湿水の給水を停止しつつ、前記機能水貯水タンクに貯水された機能水を前記送水ポンプを介して前記機能水供給ラインから前記加湿機構に所定時間供給することを特徴とする加湿および殺菌可能な空調システム。
【請求項２】
前記空調システムが、前記空調室に設置された湿度センサを含み、前記空調システムでは、前記湿度センサが計測した湿度が設定湿度に達していない場合、前記第１空調運転を実施し、前記湿度センサが計測した湿度が設定湿度に達している場合、前記第２空調運転を実施する請求項１に記載の空調システム。
【請求項３】
前記空調システムが、前記機能水供給ラインに設置されて前記機能水を生成しつつ該機能水を前記機能水貯水タンクに供給する機能水生成装置を含み、前記機能水貯水タンクが、前記機能水生成装置によって生成された機能水を貯水し、前記機能水生成装置が、前記機能水貯水タンクに略一定量の機能水が貯水されるように該機能水を該機能水貯水タンクに供給する請求項１または請求項２に記載の空調システム。
【請求項４】
前記空調機が、そこにおいて発生する排水を捕集するドレンパンを有し、前記殺菌運転では、前記機能水貯水タンクに貯水された機能水を前記機能水供給ラインから前記ドレンパンに供給し、前記ドレンパンに発生した菌を殺菌する請求項１ないし請求項３いずれかに記載の空調システム。
【請求項５】
前記空調システムでは、前記第１および第２空調運転を所定期間実施した後に前記殺菌運転を実施する請求項１ないし請求項４いずれかに記載の空調システム。
【請求項６】
前記空調システムでは、２室以上の前記空調室が存在するとともに、それら各空調室へ空調空気を供給する２つ以上の前記空調機が存在し、前記第１および第２空調運転では、それら空調機によって作られた空調空気を各空調室に供給し、前記殺菌運転では、前記機能水貯水タンクに貯水された機能水を前記機能水供給ラインから各空調機に設置された各加湿機構に供給する請求項１ないし請求項５いずれかに記載の空調システム。
【請求項７】
前記空調システムでは、それら各空調室毎に前記第１および第２空調運転を所定期間個別に実施した後、前記殺菌運転をそれら各空調機毎に個別に実施する請求項６に記載の空調システム。
【請求項８】
前記機能水供給ラインが、第１機能水を前記加湿機構に供給する第１機能水供給ライン、第２機能水を前記加湿機構に供給する第２機能水供給ライン・・・第ｎ機能水を前記加湿機構に供給する第ｎ機能水供給ラインから形成され、前記第１機能水供給ライン〜第ｎ機能水供給ラインが、それぞれ殺菌作用の異なる第１機能水〜第ｎ機能水を前記加湿機構に供給する請求項１ないし請求項７いずれかに記載の空調システム。
【請求項９】
前記空調システムが、前記空調機によって作られた空調空気の臭気を計測する臭気センサを含み、前記空調システムでは、前記臭気センサが計測した臭気レベルがあらかじめ設定された設定臭気レベルを超えた場合、前記殺菌運転を実施する請求項１ないし請求項８いずれかに記載の空調システム。
【請求項１０】
前記空調システムでは、前記臭気センサが計測した臭気レベルが前記設定臭気レベルを超えた場合における前記殺菌運転において、前記臭気センサが計測した臭気レベルと前記設定臭気レベルとの比較を停止し、前記殺菌運転終了後、前記第１空調運転または前記第２空調運転を実施したときから所定時間経過後に、前記臭気センサが計測した臭気レベルと前記設定臭気レベルとの比較を再開する請求項９に記載の空調システム。
【請求項１１】
前記殺菌運転では、前記空調機の運転が停止している請求項１ないし請求項１０いずれかに記載の空調システム。
【請求項１２】
前記殺菌運転では、前記空調機の運転が行われている請求項１ないし請求項１０いずれかに記載の空調システム。
【請求項１３】
前記加湿機構の加湿方式が、気化式加湿または噴霧式加湿のいずれかである請求項１ないし請求項１２いずれかに記載の空調システム。
【請求項１４】
前記機能水が、電解機能水、弱酸性水、塩素系水溶液、オゾン水、過酸化水素水の中から選択された少なくとも１種類である請求項１ないし請求項１３いずれかに記載の空調システム。
【請求項１５】
空調室に空調空気を供給する空調機と、前記空調機に設置された加湿機構に加湿水を給水する加湿水供給ラインと、前記加湿機構を殺菌する機能水を該加湿機構に供給する機能水供給ラインとを備え、前記機能水供給ラインが、一定量の前記機能水を貯水する機能水貯水タンクと、前記機能水貯水タンクに貯水された機能水を前記加湿機構に送水する送水ポンプとを有し、
前記加湿水供給ラインから前記加湿機構へ加湿水を給水するとともに、前記加湿機構が前記空調機によって作られた空調空気を加湿する第１空調操作と、前記加湿水供給ラインからの前記加湿機構への加湿水の給水を停止するとともに、前記空調機によって作られた空調空気を前記空調室に供給する第２空調操作と、前記加湿機構に発生した菌を殺菌する場合に前記第１および第２空調操作を停止して該加湿機構を殺菌する殺菌操作とのいずれかが実施され、
前記殺菌操作では、前記加湿水給水ラインからの加湿水の給水が停止され、前記機能水貯水タンクに貯水された機能水が前記送水ポンプを介して前記機能水供給ラインから前記加湿機構に所定時間供給されることを特徴とする加湿および殺菌可能な空調方法。
【請求項１６】
前記空調方法が、前記空調室に設置された湿度センサを含み、前記空調方法では、前記湿度センサが計測した湿度が設定湿度に達していない場合、前記第１空調操作が実施され、前記湿度センサが計測した湿度が設定湿度に達している場合、前記第２空調操作を実施される請求項１５に記載の空調方法。
【請求項１７】
前記機能水供給ラインが、前記機能水を生成しつつ該機能水を前記機能水貯水タンクに供給する機能水生成装置を含み、前記空調方法では、前記機能水貯水タンクに略一定量の機能水が貯水されるように該機能水が前記機能水生成装置から該機能水貯水タンクに供給される請求項１５または請求項１６に記載の空調方法。
【請求項１８】
前記空調機が、そこにおいて発生する排水を捕集するドレンパンを有し、前記殺菌操作では、前記機能水貯水タンクに貯水された機能水が前記機能水供給ラインから前記ドレンパンに供給され、前記ドレンパンに発生した菌が殺菌される請求項１５ないし請求項１７いずれかに記載の空調方法。
【請求項１９】
前記空調方法では、前記第１および第２空調工程を所定期間実施した後に前記殺菌操作が実施される請求項１５いし請求項１８いずれかに記載の空調方法。
【請求項２０】
前記空調方法では、２室以上の前記空調室が存在するとともに、それら各空調室へ空調空気を供給する２つ以上の前記空調機が存在し、前記第１および第２空調操作では、それら空調機によって作られた空調空気が各空調室に供給され、前記殺菌操作では、前記機能水貯水タンクに貯水された機能水が前記機能水供給ラインから各空調機に設置された各加湿機構に供給される請求項１５ないし請求項１９いずれかに記載の空調方法。
【請求項２１】
前記空調方法では、前記第１および第２空調操作がそれら各空調室毎に所定期間個別に実施された後、前記殺菌操作がそれら各空調機毎に個別に実施される請求項２０に記載の空調方法。
【請求項２２】
前記機能水供給ラインが、第１機能水を前記加湿機構に供給する第１機能水供給ライン、第２機能水を前記加湿機構に供給する第２機能水供給ライン・・・第ｎ機能水を前記加湿機構に供給する第ｎ機能水供給ラインから形成され、第１機能水供給ライン〜第ｎ機能水供給ラインが、それぞれ殺菌作用の異なる第１機能水〜第ｎ機能水を前記加湿機構に供給する請求項１５ないし請求項２１いずれかに記載の空調方法。
【請求項２３】
前記空調方法が、前記空調機によって作られた空調空気の臭気を計測する臭気センサを含み、前記空調方法では、前記臭気センサが計測した臭気レベルがあらかじめ設定された設定臭気レベルを超えた場合、前記殺菌操作が実施される請求項１５いし請求項２２いずれかに記載の空調方法。
【請求項２４】
前記空調方法では、前記臭気センサが計測した臭気レベルが前記設定臭気レベルを超えた場合における前記殺菌操作において、前記臭気センサが計測した臭気レベルと前記設定臭気レベルとの比較が停止され、前記殺菌運転終了後、前記第１空調運転または前記第２空調運転を実施したときから所定時間経過後に、前記臭気センサが計測した臭気レベルと前記設定臭気レベルとの比較が再開される請求項２３に記載の空調方法。
【請求項２５】
前記空調方法では、前記殺菌操作において前記空調機の運転を停止している請求項１５ないし請求項２４いずれかに記載の空調方法。
【請求項２６】
前記空調方法では、前記殺菌操作において前記空調機の運転が行われている請求項１５ないし請求項２４いずれかに記載の空調方法。
【請求項２７】
前記空調方法では、前記加湿機構の加湿方式が気化式加湿または噴霧式加湿のいずれかである請求項１５ないし請求項２６いずれかに記載の空調方法。
【請求項２８】
前記空調方法では、前記機能水が電解機能水、弱酸性水、塩素系水溶液、オゾン水、過酸化水素水の中から選択された少なくとも１種類である請求項１５いし請求項２７いずれかに記載の空調方法。
【発明の詳細な説明】
【技術分野】
【０００１】
本発明は、空調空気を加湿可能であって加湿機構を殺菌可能な空調システムおよび空調空気を加湿可能であって加湿機構を殺菌可能な空調方法に関する。
【背景技術】
【０００２】
空調機内における空気通路の一部に空気通路の断面全体をほぼ覆うように設けられた除菌脱臭エレメントと、除菌脱臭エレメントに対して殺菌水を供給することによって除菌脱臭エレメントのほぼ全面に水膜を形成する殺菌水生成装置とを備え、除菌脱臭エレメントに形成された水膜に対して空調機内に導入された空気を接触させるように構成し、空調機によって循環する空気中に存在する微生物の除菌および臭気の除去を行う除菌脱臭空調システムがある（特許文献１参照）。殺菌水としては、塩化物を添加した水溶液を電気分解して生成される次亜塩素酸を含む電解機能水であって、ｐＨ３以下の強酸性水やｐＨ５〜７の電解中性水、ｐＨ８〜９の電解次亜水の中から選択された電解機能水、次亜塩素酸（ＨＯＣｌ）を主成分とし、ｐＨ５〜７の弱酸性で有効塩素濃度が数ｐｐｍ〜数１００ｐｐｍの弱酸性水、塩化物がとけ込んだ水溶液を有効塩素濃度が数ｐｐｍ〜数１００ｐｐｍ程度に希釈し、殺菌能力を保持した塩素系水溶液、オゾンを水に溶け込ませたオゾン水が使用される。
【０００３】
この除菌脱臭空調システムは、空調機内の一部に設置された除菌脱臭エレメントを殺菌水で湿らせることによって除菌脱臭エレメントの全面に水膜を形成し、この水膜と除菌脱臭対象となる空気とを接触させることができるから、気液接触面積が大幅に増大させることができ、その結果、空気中の微生物を高い効率で除去することができるとともに、空気中に存在する臭気やガスを除去することができる。水廻りに殺菌水を使用することにより、循環空気はもとより空調機の内部まで十分に除菌できるから、空調機内部の無菌化が可能となる。
【先行技術文献】
【特許文献】
【０００４】
【特許文献１】特開２００３−２２７６２２号公報
【発明の概要】
【発明が解決しようとする課題】
【０００５】
前記特許文献１に開示の除菌脱臭空調システムは、殺菌水生成装置によって生成された殺菌水を常時除菌脱臭エレメントに供給し、その殺菌水を利用して空気中の微生物や空気中の臭気を除去するとともに、空調機の内部を殺菌する。しかし、除菌脱臭空調システムは、殺菌水を利用した殺菌運転のみが実施され、殺菌水の他に加湿水を利用して空調空気を加湿する空調運転を実施することはない。したがって、通常時において空調空気を加湿する空調運転を実施しつつ、空調機の加湿機構の殺菌が必要な場合のみに殺菌水を利用する殺菌運転を実施することができず、殺菌水を含まない加湿された清潔な空調空気を空調室に供給することはできない。また、複数の空調室に空調空気を供給する空調機が存在する場合、それら空調機の加湿機構を同時にまたは個別に殺菌する殺菌運転を実施することができず、殺菌水を含まない加湿された清潔な空調空気をそれら空調機から各空調室に供給することはできない。
【０００６】
本発明の目的は、加湿水を利用して空調空気を加湿する空調運転を実施することができるとともに、空調機の加湿機構の殺菌が必要な場合に機能水を利用した殺菌運転を実施することができる加湿および殺菌可能な空調システムと加湿および殺菌可能な空調方法とを提供することにある。本発明の他の目的は、複数の空調室に空調空気を供給する空調機が存在したとしても、それら空調機の加湿機構を同時にまたは個別に殺菌する殺菌運転を実施することができ、殺菌水を含まない加湿された清潔な空調空気をそれら空調機から各空調室に供給することができる加湿および殺菌可能な空調システムと加湿および殺菌可能な空調方法とを提供することにある。
【課題を解決するための手段】
【０００７】
前記課題を解決するための本発明にかかる加湿および殺菌可能な空調システムと空調方法とは、空調室に空調空気を供給する空調機と、空調機に設置された加湿機構に加湿水を給水する加湿水供給ラインと、加湿機構を殺菌する機能水を加湿機構に供給する機能水供給ラインとを備え、機能水供給ラインが、一定量の機能水を貯水する機能水貯水タンクと、機能水貯水タンクに貯水された機能水を加湿機構に送水する送水ポンプとを有し、加湿水供給ラインから加湿機構へ加湿水を給水するとともに、加湿機構が空調機によって作られた空調空気を加湿する第１空調運転（第１空調操作）と、加湿水供給ラインからの加湿機構への加湿水の給水を停止するとともに、空調機によって作られた空調空気を空調室に供給する第２空調運転（第２空調操作）と、加湿機構に発生した菌を殺菌する場合に第１および第２空調運転（第１および第２空調操作）を停止して加湿機構を殺菌する殺菌運転（殺菌操作）とのいずれかを実施し、殺菌運転（殺菌操作）では、加湿水給水ラインからの加湿水の給水を停止しつつ、機能水貯水タンクに貯水された機能水を送水ポンプを介して機能水供給ラインから加湿機構に所定時間供給することを特徴とする。
【０００８】
本発明にかかる空調システムおよび空調方法の一例としては、空調室に設置された湿度センサを含み、湿度センサが計測した湿度が設定湿度に達していない場合、第１空調運転（第１空調操作）を実施し、湿度センサが計測した湿度が設定湿度に達している場合、第２空調運転（第２空調操作）を実施する。
【０００９】
本発明にかかる空調システムおよび空調方法の一例としては、機能水供給ラインに設置されて機能水を生成しつつその機能水を機能水貯水タンクに供給する機能水生成装置を含み、機能水貯水タンクが機能水生成装置によって生成された機能水を貯水し、機能水生成装置が機能水貯水タンクに略一定量の機能水が貯水されるように機能水を機能水貯水タンクに供給する。
【００１０】
本発明にかかる空調システムおよび空調方法の他の一例としては、空調機がそこにおいて発生する排水を捕集するドレンパンを有し、殺菌運転（殺菌操作）では、機能水貯水タンクに貯水された機能水を機能水供給ラインからドレンパンに供給し、ドレンパンに発生した菌を殺菌する。
【００１１】
本発明にかかる空調システムおよび空調方法の他の一例としては、第１および第２空調運転を所定期間実施した後に殺菌運転（殺菌操作）を実施する。
【００１２】
本発明にかかる空調システムおよび空調方法の他の一例としては、２室以上の空調室が存在するとともに、それら各空調室へ空調空気を供給する２つ以上の空調機が存在し、第１および第２空調運転（第１および第２空調操作）では、それら空調機によって作られた空調空気を各空調室に供給し、殺菌運転（殺菌操作）では、機能水貯水タンクに貯水された機能水を機能水供給ラインから各空調機に設置された各加湿機構に供給する。
【００１３】
本発明にかかる空調システムおよび空調方法の他の一例としては、それら各空調室毎に第１および第２空調運転（第１および第２空調操作）を所定期間個別に実施した後、殺菌運転（殺菌操作）をそれら各空調機毎に個別に実施する。
【００１４】
本発明にかかる空調システムおよび空調方法の他の一例としては、機能水供給ラインが第１機能水を加湿機構に供給する第１機能水供給ライン、第２機能水を加湿機構に供給する第２機能水供給ライン・・・第ｎ機能水を加湿機構に供給する第ｎ機能水供給ラインから形成され、第１機能水供給ライン〜第ｎ機能水供給ラインがそれぞれ殺菌作用の異なる第１機能水〜第ｎ機能水を加湿機構に供給する。
【００１５】
本発明にかかる空調システムおよび空調方法の他の一例としては、空調機によって作られた空調空気の臭気を計測する臭気センサを含み、臭気センサが計測した臭気レベルがあらかじめ設定された設定臭気レベルを超えた場合、殺菌運転（殺菌操作）を実施する。
【００１６】
本発明にかかる空調システムおよび空調方法の他の一例としては、臭気センサが計測した臭気レベルが設定臭気レベルを超えた場合における殺菌運転において、臭気センサが計測した臭気レベルと設定臭気レベルとの比較を停止し、殺菌運転終了後、第１および第２空調運転を実施したときから所定時間経過後に、臭気センサが計測した臭気レベルと設定臭気レベルとの比較を再開する。
【００１７】
本発明にかかる空調システムおよび空調方法の他の一例として、殺菌運転（殺菌工程）では、空調機の運転が停止している。
【００１８】
本発明にかかる空調システムおよび空調方法の他の一例として、殺菌運転（殺菌工程）では、空調機の運転が行われている。
【００１９】
本発明にかかる空調システムおよび空調方法の他の一例としては、加湿機構の加湿方式が気化式加湿または噴霧式加湿のいずれかである。
【００２０】
本発明にかかる空調システムおよび空調方法の他の一例としては、機能水が電解機能水、弱酸性水、塩素系水溶液、オゾン水、過酸化水素水の中から選択された少なくとも１種類である。
【発明の効果】
【００２１】
本発明にかかる加湿および殺菌可能な空調システムと空調方法とによれば、湿度が不足している場合、加湿機構が空調機によって作られた空調空気を加湿する第１空調運転（第１空調操作）を実施し、湿度が足りている場合、空調機によって作られた空調空気を加湿することなく空調室に供給する第２空調運転（第２空調操作）を実施するから、空調室の湿度を最適に保持しつつ空調空気を空調機から空調室に供給することができ、加湿機構に発生（繁殖）した菌を殺菌する場合、第１および第２空調運転（第１および第２空調操作）を停止して加湿機構を殺菌する殺菌運転（殺菌操作）を実施するから、加湿機構を清潔な状態にすることができる。空調システムおよび空調方法は、加湿水を利用して空調空気を加湿し、適度な湿度を有する空調空気を空調室に供給することができるのみならず、空調機の加湿機構の殺菌が必要な場合に機能水を利用して加湿機構を殺菌することができ、加湿機構を清潔な状態で利用することができる。空調システムおよび空調方法は、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を空調室に供給することができる。
【００２２】
空調室に設置された湿度センサを含み、湿度センサが計測した湿度が設定湿度に達していない場合、第１空調運転（第１空調操作）を実施し、湿度センサが計測した湿度が設定湿度に達している場合、第２空調運転（第２空調操作）を実施する空調システムおよび空調方法は、湿度センサが計測した湿度が設定湿度に達していない場合、加湿機構が空調機によって作られた空調空気を加湿する第１空調運転（第１空調操作）を実施し、湿度センサが計測した湿度が設定湿度に達している場合、空調機によって作られた空調空気を加湿することなく空調室に供給する第２空調運転（第２空調操作）を実施するから、適度な湿度を有する空調空気を空調機から空調室に供給することができ、加湿機構に発生（繁殖）した菌を殺菌する場合、第１および第２空調運転（第１および第２空調操作）を停止して加湿機構を殺菌する殺菌運転（殺菌操作）を実施するから、加湿機構を清潔な状態にすることができる。空調システムおよび空調方法は、加湿水を利用して空調空気を加湿し、適度な湿度を有する空調空気を空調室に供給することができるのみならず、空調機の加湿機構の殺菌が必要な場合に機能水を利用して加湿機構を殺菌することができ、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を空調室に供給することができる。
【００２３】
機能水を生成しつつ機能水を機能水貯水タンクに供給する機能水生成装置を含み、機能水生成装置が機能水貯水タンクに略一定量の機能水が貯水されるように機能水を機能水貯水タンクに供給する空調システムおよび空調方法は、機能水が機能水生成装置から機能水貯水タンクに供給され、略一定量の機能水が機能水貯水タンクに常時貯水されるから、機能水貯水タンクにおいて機能水が枯渇することはなく、機能水が枯渇することによる殺菌運転（殺菌操作）の実施不能を防ぐことができる。空調システムおよび空調方法は、空調機の加湿機構の殺菌が必要な場合に機能水を利用して加湿機構を確実に殺菌することができ、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を空調室に供給することができる。
【００２４】
空調機がそこにおいて発生する排水を捕集するドレンパンを有し、機能水貯水タンクに貯水された機能水を機能水供給ラインからドレンパンに供給し、ドレンパンに発生した菌を殺菌する空調システムおよび空調方法は、空調機のドレンパンの殺菌が必要な場合に機能水を利用してドレンパンを殺菌することができ、ドレンパンを清潔な状態で利用することができる。空調システムおよび空調方法は、加湿機構のみならずドレンパンを清潔な状態で利用することができるから、ドレンパンから空調空気に菌や悪臭が混入することはなく、加湿されて適度な湿度を有する清潔な空調空気や加湿されずに適度な湿度を有する清潔な空調空気を空調室に供給することができる。
【００２５】
第１および第２空調運転（第１および第２空調操作）を所定期間実施した後に殺菌運転（殺菌操作）を実施する空調システムおよび空調方法は、第１および第２空調運転（第１および第２空調操作）を所定期間実施すると、空調機の加湿機構やドレンパンに菌が繁殖する場合があるが、第１および第２空調運転（第１および第２空調操作）を所定期間実施した後に殺菌運転（殺菌操作）を実施するから、加湿機構やドレンパンに菌が繁殖したとしても、その菌を殺菌することができ、加湿機構やドレンパンを清潔な状態で利用することができる。空調システムおよび空調方法は、空調機の加湿機構やドレンパンに菌が繁殖したとしても、機能水を利用して加湿機構やドレンパンを確実に殺菌することができ、加湿機構やドレンパンを清潔な状態で利用することができるから、加湿機構やドレンパンから空調空気に菌や悪臭が混入することはなく、加湿されて適度な湿度を有する清潔な空調空気や加湿されずに適度な湿度を有する清潔な空調空気を空調室に供給することができる。
【００２６】
２室以上の空調室が存在するとともに、それら各空調室へ空調空気を供給する２つ以上の空調機が存在し、第１および第２空調運転（第１および第２空調操作）において、それら空調機によって作られた空調空気を各空調室に供給し、殺菌運転（殺菌操作）において、機能水貯水タンクに貯水された機能水を機能水供給ラインから各空調機に設置された各加湿機構に供給する空調システムおよび空調方法は、湿度が不足している場合、各加湿機構が各空調機によって作られた空調空気を加湿する第１空調運転（第１空調工程）を実施し、湿度が足りている場合、各空調機によって作られた空調空気を加湿することなく各空調室に供給する第２空調運転（第２空調操作）を実施するから、空調室の湿度を最適に保持しつつ空調空気を各空調機から各空調室に供給することができ、それら加湿機構に発生（繁殖）した菌を殺菌する場合、第１および第２空調運転（第１および第２空調操作）を停止して各加湿機構を殺菌する殺菌運転（殺菌操作）を実施するから、それら加湿機構を清潔な状態にすることができる。空調システムおよび空調方法は、加湿水を利用して空調空気を加湿し、適度な湿度を有する空調空気を各空調室に供給することができるのみならず、それら空調機の加湿機構の殺菌が必要な場合に機能水を利用して各加湿機構を同時にまたは個別に殺菌することができ、各加湿機構を清潔な状態で利用することができる。空調システムおよび空調方法は、それら加湿機構を清潔な状態で利用することができるから、各加湿機構から空調空気に菌や悪臭が混入することはなく、加湿されて適度な湿度を有する清潔な空調空気や加湿されずに適度な湿度を有する清潔な空調空気を各空調室に供給することができる。
【００２７】
各空調室毎に第１および第２空調運転（第１および第２空調操作）を所定期間個別に実施した後、殺菌運転（殺菌操作）をそれら各空調機毎に個別に実施する空調システムおよび空調方法は、第１および第２空調運転（第１および第２空調操作）を所定期間実施すると、各空調機の加湿機構に菌が繁殖する場合があるが、第１および第２空調運転（第１および第２空調操作）を所定期間実施した後、各空調機毎に殺菌運転（殺菌操作）を実施するから、各加湿機構に菌が繁殖したとしても、その菌を殺菌することができ、加湿機構を清潔な状態で利用することができる。空調システムおよび空調方法は、それら空調機の加湿機構に菌が繁殖したとしても、機能水を利用して各加湿機構を確実に殺菌することができ、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を各空調室に供給することができる。
【００２８】
機能水供給ラインが第１機能水を加湿機構に供給する第１機能水供給ライン、第２機能水を加湿機構に供給する第２機能水供給ライン・・・第ｎ機能水を加湿機構に供給する第ｎ機能水供給ラインから形成され、第１機能水供給ライン〜第ｎ機能水供給ラインがそれぞれ殺菌作用の異なる第１機能水〜第ｎ機能水を加湿機構に供給する空調システムおよび空調方法は、殺菌作用（殺菌効果）の異なる機能水をそれら機能水供給ラインから供給することで、多量の菌が発生した加湿機構やドレンパンを強い殺菌効果を有する機能水によって殺菌することができるとともに、菌の発生が少ない加湿機構やドレンパンを弱い殺菌効果を有する機能水によって殺菌することができる。なお、機能水供給ラインや加湿機構、ドレンパンの耐薬品性にもよるが、強い殺菌効果を有する機能水を常時使用すると、その抗菌作用によって機能水供給ラインや加湿機構、ドレンパンが痛む原因になるが、弱い殺菌効果を有する機能水を適宜使用することによって機能水供給ラインや加湿機構、ドレンパンの痛みを防ぐことができる。
【００２９】
空調機によって作られた空調空気の臭気を計測する臭気センサを含み、臭気センサが計測した臭気レベルがあらかじめ設定された設定臭気レベルを超えた場合に殺菌運転（殺菌操作）を実施する空調システムおよび空調方法は、加湿機構やドレンパンにおいて菌が発生すると、加湿機構やドレンパンから悪臭が発生し、その悪臭を臭気センサによって計測することで、加湿機構やドレンパンにおける菌の発生を判定することができる。空調システムおよび空調方法は、臭気レベルが設定臭気レベルを超えた場合、加湿機構やドレンパンにおける菌の発生が認められ、殺菌運転（殺菌操作）を実施するから、加湿機構やドレンパンに菌が繁殖したとしても、機能水を利用して各加湿機構や各ドレンパンを確実に殺菌することができる。空調システムおよび空調方法は、加湿機構やドレンパンを清潔な状態で利用することができるから、加湿機構やドレンパンから空調空気に菌や悪臭が混入することはなく、加湿されて適度な湿度を有する清潔な空調空気や加湿されずに適度な湿度を有する清潔な空調空気を空調室に供給することができる。
【００３０】
臭気センサが計測した臭気レベルが設定臭気レベルを超えた場合における殺菌運転において、臭気センサが計測した臭気レベルと設定臭気レベルとの比較を停止し、殺菌運転終了後、第１空調運転または第２空調運転を実施したときから所定時間経過後に、臭気センサが計測した臭気レベルと設定臭気レベルとの比較を再開する空調システムおよび空調方法は、殺菌運転（殺菌操作）中に臭気レベルと設定臭気レベルとの比較を継続すると、機能水の臭気によって臭気レベルが設定臭気レベルを超えた状態となる場合があり、不必要な殺菌運転（殺菌操作）が継続されることになるが、殺菌運転（殺菌操作）において臭気レベルと設定臭気レベルとの比較を停止するから、機能水の臭気によって臭気レベルが設定臭気レベルを超えることはなく、最適な時間で殺菌運転（殺菌操作）を終了することができる。空調システムおよび空調方法は、第１および第２空調運転（第１および第２空調操作）を実施した直後に臭気レベルと設定臭気レベルとの比較を開始すると、機能水の残存する臭気によって臭気レベルが設定臭気レベルを超えた状態となる場合があり、不必要な殺菌運転（殺菌操作）が再び実施されることになるが、第１空調運転または第２空調運転（第１空調操作または第２空調操作）を実施したときから所定時間経過後に臭気レベルと設定臭気レベルとの比較を再開するから、機能水の残存する臭気によって臭気レベルが設定臭気レベルを超えることはなく、不必要な殺菌運転（殺菌操作）の実施を防ぐことができる。
【００３１】
殺菌運転（殺菌操作）において空調機の運転が停止している空調システムおよび空調方法は、殺菌運転（殺菌操作）において空調機の運転を停止させることで、加湿機構やドレンパンに機能水を留めることができ、空調機の加湿機構やドレンパンに菌が繁殖したとしても、機能水を利用して加湿機構やドレンパンを確実に殺菌することができる。空調システムおよび空調方法は、機能水の成分を含んだ空調空気が空調室に供給されることはなく、機能水の臭気の空調室への充満を防ぐことができる。空調システムおよび空調方法は、加湿機構やドレンパンを清潔な状態で利用することができるから、加湿機構やドレンパンから空調空気に菌や悪臭が混入することはなく、加湿されて適度な湿度を有する清潔な空調空気や加湿されずに適度な湿度を有する清潔な空調空気を空調室に供給することができる。
【００３２】
殺菌運転（殺菌操作）において空調機の運転が行われている空調システムおよび空調方法は、殺菌運転（殺菌操作）において空調機を運転することで、機能水の成分を含んだ空調空気が空調室に供給され、機能水の殺菌作用（殺菌効果）によって空調室の空気が殺菌されるから、加湿機構やドレンパンを殺菌することができるのみならず、空調室も殺菌することができる。空調システムおよび空調方法は、加湿機構やドレンパンを清潔な状態で利用することができるとともに、空調室を清潔な状態で利用することができる。
【００３３】
加湿機構の加湿方式が気化式加湿または噴霧式加湿のいずれかである空調システムおよび空調方法は、加湿機構の加湿方式が前記いずれかの方式であったとしても、機能水を利用して加湿機構に発生した菌を確実に殺菌することができ、加湿機構を清潔な状態で利用することができるから、加湿機構から空調空気に菌が混入することはなく、加湿されて適度な湿度を有する清潔な空調空気や加湿されずに適度な湿度を有する清潔な空調空気を各空調室に供給することができる。
【００３４】
機能水が電解機能水、弱酸性水、塩素系水溶液、オゾン水、過酸化水素水の中から選択された少なくとも１種類である空調システムおよび空調方法は、空調機の加湿機構やドレンパンに菌が繁殖したとしても、それら機能水を利用して加湿機構やドレンパンを確実に殺菌することができ、加湿機構やドレンパンを清潔な状態で利用することができるから、加湿機構やドレンパンから空調空気に菌や悪臭が混入することはなく、加湿されて適度な湿度を有する清潔な空調空気や加湿されずに適度な湿度を有する清潔な空調空気を空調室に供給することができる。
【図面の簡単な説明】
【００３５】
【図１】一例として示す空調システムの構成図。
【図２】タイムスケジュールの一例を示す図。
【図３】空調システム（空調方法）における第１空調運転（第１空調操作）を説明する図。
【図４】空調システム（空調方法）における弱殺菌運転（弱殺菌操作）の一例を説明する図。
【図５】空調システム（空調方法）における強殺菌運転（強殺菌操作）の一例を説明する図。
【図６】他の一例として示す空調システムの構成図。
【図７】空調システム（空調方法）における第１空調運転（第１空調操作）を説明する図。
【図８】空調システム（空調方法）における弱殺菌運転（弱殺菌操作）の一例を説明する図。
【図９】空調システム（空調方法）における強殺菌運転（強殺菌操作）の一例を説明する図。
【図１０】図６とは異なる空調システムの構成図。
【図１１】他の一例として示す空調システムの構成図。
【図１２】空調システム（空調方法）における弱殺菌運転（弱殺菌操作）の一例を説明する図。
【図１３】空調システム（空調方法）における強殺菌運転（強殺菌操作）の一例を説明する図。
【図１４】他の一例として示す空調システムの構成図。
【図１５】空調システム（空調方法）における弱殺菌運転（弱殺菌操作）の一例を説明する図。
【図１６】空調システム（空調方法）における強殺菌運転（強殺菌操作）の一例を説明する図。
【図１７】図１４とは異なる空調システムの構成図。
【図１８】他の一例として示す空調機の構成図。
【発明を実施するための形態】
【００３６】
一例として示す空調システム１０Ａの構成図である図１等の添付の図面を参照し、本発明にかかる加湿可能かつ殺菌可能な空調システムおよび空調方法の詳細を説明すると、以下のとおりである。なお、図２は、タイムスケジュールの一例を示す図であり、図３は、空調システム１０Ａ（空調方法）における第１空調運転（第１空調操作）を説明する図である。
【００３７】
空調システム１０Ａ（空調方法）は、所定容積を有する空調室１１と、空気を空調する空調機１２と、加湿水供給ライン１３と、第１および第２機能水供給ライン１４，１５（第１機能水供給ライン〜第ｎ機能水供給ライン）と、コントローラ１６（制御装置）と、湿度センサ１７とから形成されている。なお、図１のシステム１０Ａでは、２本の機能水供給ライン１４，１５が設置されているが、機能水供給ラインの本数に特に限定はなく、１本の機能水供給ラインのみが設置されていてもよく、３本以上の機能水供給ラインが設置されていてもよい。
【００３８】
空調室１１には、クリーンルームや病室、実験室等を例示することができるが、空調室１１はそれらに限定されず、あらゆる種類の室（ホールや劇場、体育館、工場等を含む）に適用することができる。空調室１は、天井および床と前後壁および側壁とに囲繞された所定容積の空調空間を有し、天井、床、それら壁によって室外と仕切られている。天井には、空調空気を空調室１１に取り入れるための給気口（図示せず）が施設されている。側壁には、空調室１１の空気を排気するための排気口（図示せず）が施設されている。
【００３９】
湿度センサ１７は、空調室１１の内部に設置されている。湿度センサ１７は、インターフェイス１８を介してコントローラ１６に接続されている。湿度センサ１７は、空調室１１の内部の湿度を計測し、計測した測定湿度をコントローラ１６に送信する。空調室１１の内部の設定湿度や設定温度は、コントローラ１６に送信される。
【００４０】
空調機１２は、空調室１１に気化式加湿（滴下式加湿）によって加湿された空調空気または加湿されない空調空気を供給する。空調機１２は、空調室１１の室外に設置されているが、室内に設置される場合もある。空調機１２は、ハウジング１９と、冷却コイル２０および加熱コイル２１と、気化式加湿エレメント２２（加湿機構）および送風機２３（ファン）と、ドレンパン２４と、制御部（図示せず）とから形成されている。空調機１２の制御部は、インターフェイス１８を介してコントローラ１６に接続されている。
【００４１】
空調機１２には、外気を取り入れるダクト２５が連結されている。空調機１２は、給気ダクト２６を介して空調室１１に連結されている。ハウジング１９には、図示はしていないが、空気流入口と空気流出口とが形成されている。空調機１２では、空気流入口から空気流出口に向かって、冷却コイル２０、加熱コイル２１、気化式加湿エレメント２２、送風機２３の順で並んでいる。冷却コイル２０は、空調機１２の内部に設置され、空気を冷却および除湿して空調空気を作る。加熱コイル２１は、空調機１２の内部に設置され、空気を加熱して空調空気を作る。空調機１２では、コントローラ１６は、送信された設定温度にしたがい、冷却コイル２０または加熱コイル２１に熱媒を流し、空調室１１の温度や湿度をコントロールする。
【００４２】
気化式加湿エレメント２２には、ポリエステル樹脂繊維やフェノール樹脂繊維、無機繊維等から作られた既存のそれが使用されている。気化式加湿エレメント２２は、上端部２７と、ドレンパン２４に対向する下端部２９と、上下端部２７，２９の間に位置する中間部２８とを有し、上下方向へ長く延びている。気化式加湿エレメント２２は、加湿水供給ライン１３や第１および第２機能水供給ライン１４，１５から給水される加湿水や機能水を保水し、加湿水や機能水のうちの余剰分をドレンパン２４に排水する。
【００４３】
機能水には、食塩水や塩酸等の塩化物を含んだ水溶液を電気分解して生成される次亜塩素酸を含む電解機能水であって、ｐＨ２．７以下で有効塩素濃度が２０〜６０ｍｇ／Ｌである強酸性電解水、ｐＨ２．７〜５．０で有効塩素濃度が１０〜６０ｍｇ／Ｌである弱酸性電解水、ｐＨ５．０〜６．５で有効塩素濃度が１０〜３０ｍｇ／Ｌまたは５０〜８０ｍｇ／Ｌの微酸性電解水、ｐＨ７．５以上の電解次亜水、塩化物が溶け込んだ水溶液を有効塩素濃度が数ｍｇ／Ｌ〜数百ｍｇ／Ｌ程度に稀釈した殺菌能力を有する塩素系水溶液、オゾンを水に溶け込ませたオゾン水、過酸化水素水の中から選択された少なくとも１種類が使用される。
【００４４】
送風機２３は、空調機１２の内部に空気を強制的に流入させ、空調空気を空調機１２の内部から外部に強制的に流出させる。送風機２３は、その稼働中における風量（風速）が設定されている。ドレンパン２４は、冷却コイル２０から滴下する水滴を捕集するとともに、気化式加湿エレメント２２の下端部２９から排水された加湿水や機能水を捕集し、それら水を排水溝に排水する。
【００４５】
ダクト２５は、その先端部が空調機１２の空気流入口に連結されている。給気ダクト２６は、その基端部が空調機１２の空気流出口に連結され、その先端部が空調室１１の天井に施設された給気口に連結されている。給気ダクト２６は、空調機１２によって作られた空調空気を空調室１１に供給する。
【００４６】
加湿水供給ライン１３は、第１加湿水用電磁弁３０および第２加湿水用電磁弁３１と、チャッキ弁３２と、加湿水用給水管３３とから形成されている。加湿水供給ライン１３は、必要に応じて気化式加湿エレメント２２に加湿水（水道水）を給水する。加湿水用給水管３３の基端部は、図示はしていないが、水源配管に連結されている。加湿水用給水管３３の先端部は、気化式加湿エレメント２２の上端部２７に連結されている。加湿水供給ライン１３では、加湿水用給水管３３の基端部から先端部に向かって加湿水用第１電磁弁３０、チャッキ弁３２、加湿水用第２電磁弁３１の順に並んでいる。
【００４７】
加湿水用第１電磁弁３０は、加湿水用給水管３３に取り付けられ、その制御部がインターフェイス１８を介してコントローラ１６に接続されている。チャッキ弁３２は、加湿水用給水管３３に取り付けられ、加湿水の逆流を防止する。加湿水用第２電磁弁３１は、加湿水用給水管３３に取り付けられ、その制御部がインターフェイス１８を介してコントローラ１６に接続されている。
【００４８】
第１機能水供給ライン１４は、第１機能水生成装置３４と、第１機能水貯水タンク３５（第１バッファタンク）と、第１送水ポンプ３６と、チャッキ弁３７と、機能水用第１供給管３８とから形成されている。第１機能水供給ライン１４は、気化式加湿エレメント２２に第１機能水を供給する。機能水用第１供給管３８の基端部は、第１機能水生成装置３４に連結されている。機能水用第１供給管３８は、後記する機能水用第２供給管４４と合流し、その先端部が気化式加湿エレメント２２の上端部２７に連結されている。第１機能水供給ライン１４では、機能水用第１供給管３８の基端部から先端部に向かって、第１機能水生成装置３４、第１機能水貯水タンク３５、第１機能水送水ポンプ３６、チャッキ弁３７の順に並んでいる。
【００４９】
第１機能水生成装置３４は、必要に応じて第１機能水を生成し、生成した第１機能水を第１貯水タンク３５に供給する。第１機能水には、たとえば、次亜塩素酸を含む電解機能水であって前述したｐＨ２．７以下で有効塩素濃度が２０〜６０ｍｇ／Ｌである強酸性電解水を使用することができる。したがって、第１機能水は、その殺菌作用（殺菌効果）が強い。
【００５０】
第１機能水貯水タンク３５は、機能水用第１供給管３８に取り付けられ、第１機能水を貯水する。第１機能水貯水タンク３５には、第１水位センサ３９（水位計）が設置されている。第１水位センサ３９は、インターフェイス１８を介して第１機能水生成装置３４に接続されている。第１水位センサ３９は、第１機能水貯水タンク３５に貯水された第１機能水の水位を計測し、計測した実測水位を第１機能水生成装置３４に送信する。第１送水ポンプ３６は、機能水用第１供給管３８に取り付けられ、インターフェイス１８を介してコントローラ１６に接続されている。チャッキ弁３７は、機能水用第１供給管３８に取り付けられ、第１機能水の逆流を防止する。
【００５１】
第１機能水生成装置３４の制御部には、あらかじめ設定された設定水位が格納されている。第１機能水生成装置３４の制御部は、第１水位センサ３９から送信された実測水位と設定水位とを比較し、実測水位が設定水位未満になると、第１機能水を生成しつつ、生成した第１機能水を第１機能水貯水タンク３５に供給する。したがって、第１機能水生成装置３４は、第１機能水貯水タンク３５に貯水された第１機能水の水位を監視し、第１機能水貯水タンク３５に略一定量の第１機能水が常時貯水されるように、第１機能水を機能水貯水タンク３５に供給する。なお、実測水位が設定水位になると、第１機能水の生成・供給を停止する。
【００５２】
第２機能水供給ライン１５は、第２機能水生成装置４０と、第２機能水貯水タンク４１（第２バッファタンク）と、第２送水ポンプ４２と、チャッキ弁４３と、機能水用第２供給管４４とから形成されている。第２機能水供給ライン１５は、気化式加湿エレメント２２に第２機能水を供給する。機能水用第２供給管４４の基端部は、第２機能水生成装置４０に連結されている。機能水用第２供給管４４は、機能水用第１供給管３８と合流し、その先端部が気化式加湿エレメント２２の上端部２７に連結されている。第２機能水供給ライン１５では、機能水用第２供給管４４の基端部から先端部に向かって、第２機能水生成装置４０、第２機能水貯水タンク４１、第２機能水送水ポンプ４２、チャッキ弁４３の順に並んでいる。
【００５３】
機能水用第２供給管４４の先端部（機能水用第１供給管３８の先端部）には、ドレンパン２４に機能水を供給するドレンパン用機能水供給管５２が連結されている。供給管５２には、仕切弁５３が設置されている。仕切弁５３は、その弁機構が通常開状態に保持されているが、ドレンパン２４に機能水を供給しない場合はその弁機構が閉鎖される。第２機能水生成装置４０は、必要に応じて第２機能水を生成し、生成した第２機能水を第２貯水タンク４１に供給する。第２機能水には、たとえば、次亜塩素酸を含む電解機能水であって前述したｐＨ２．７〜５．０で有効塩素濃度が１０〜６０ｍｇ／Ｌである弱酸性電解水を使用することができる。したがって、第２機能水は、その殺菌作用（殺菌効果）が第１機能水のそれよりも弱い。
【００５４】
第２機能水貯水タンク４１は、機能水用第２供給管４４に取り付けられ、第２機能水を貯水する。第２機能水貯水タンク４１には、第２水位センサ４５（水位計）が設置されている。第２水位センサ４５は、インターフェイス１８を介して第２機能水生成装置４０に接続されている。第２水位センサ４５は、第２機能水貯水タンク４１に貯水された第２機能水の水位を計測し、計測した実測水位を第２機能水生成装置４０に送信する。第２送水ポンプ４２は、機能水用第２供給管４４に取り付けられ、インターフェイス１８を介してコントローラ１６に接続されている。チャッキ弁４３は、機能水用第２供給管４４に取り付けられ、第２機能水の逆流を防止する。
【００５５】
第２機能水生成装置４０の制御部には、あらかじめ設定された設定水位が格納されている。第２機能水生成装置４０の制御部は、第２水位センサ４５から送信された実測水位と設定水位とを比較し、実測水位が設定水位未満になると、第２機能水を生成しつつ、生成した第２機能水を第２機能水貯水タンク４１に供給する。したがって、第２機能水生成装置４０は、第２機能水貯水タンク４１に貯水された第２機能水の水位を監視し、第２機能水貯水タンク４１に略一定量の第２機能水が常時貯水されるように、第２機能水を機能水貯水タンク４１に供給する。なお、実測水位が設定水位になると、第２機能水の生成・供給を停止する。
【００５６】
コントローラ１６は、中央処理部（ＣＰＵまたはＭＰＵ）とメモリ（主記憶部）とを有するマイクロコンピュータであり、データ記憶装置が内蔵されている。コントローラ１６には、テンキーユニット（図示せず）やディスプレイ（図示せず）等の入出力装置がインターフェイスを介して接続されている。コントローラ１６の中央処理部は、オペレーティングシステムによる制御に基づいて、メモリからアプリケーションを起動し、起動したアプリケーションに従って、後記する各運転（操作）を実施する。コントローラ１６の中央処理部は、空調機１２の停止（ＯＦＦ）または稼働（ＯＮ）を行う。
【００５７】
コントローラ１６のデータ記憶装置には、空調室１１の設定湿度や設定温度が格納されているとともに、図２に示すタイムスケジュールが格納されている。タイムスケジュールには、第１送水ポンプ３６の稼働時間（稼働期間）および停止時間（停止期間）、第２送水ポンプ４２の稼働時間（稼働期間）および停止時間（停止期間）がある。タイムスケジュールは、テンキーユニットを介して自由に設定することができる。
【００５８】
第１送水ポンプ３６の停止時間は、たとえば、１ヶ月、２ヶ月等の時間が設定され、第１送水ポンプ３６の稼働時間は、たとえば、１５分、３０分、１時間等が設定される。第２送水ポンプ４２の停止時間は、第１送水ポンプ３６のそれよりも短く、たとえば、１日、１週間等の時間が設定され、第２送水ポンプ４２の稼働時間は、たとえば、１５分、３０分、１時間等が設定される。第１および第２送水ポンプ３６，４２の稼働時間が停止時間に比べて短いのは、菌の殺菌に長い時間が必要ないからである。
【００５９】
図３に基づいて、空調システム１０Ａ（空調方法）における第１空調運転（第１空調操作）を説明すると、以下のとおりである。なお、第１送水ポンプ３６の停止時間が１ヶ月に設定されているとともに、第２送水ポンプ４２の停止時間が１週間に設定されているものとする。また、第１および第２送水ポンプ３６，４２の稼働時間が３０分に設定されているものとする。なお、図２のタイムスケジュールに示すように、第１送水ポンプ３６が稼働する場合、第２送水ポンプ４２の停止時間が第１送水ポンプ３６の稼働から１週間延長される。第１機能水貯水タンク３５に第１機能水が貯水され、第２機能水貯水タンク４１に第２機能水が貯水されているものとする。
【００６０】
空調システム１０Ａ（空調方法）では、第２送水ポンプ４２の停止時間（１週間）が経過すると、第２機能水供給ライン１５による弱殺菌運転が行われる。空調システム１０Ａ（空調方法）では、第２送水ポンプ４２の稼働時間（３０分）が経過すると、加湿水供給ライン１３による第１空調運転または第２空調運転が行われる。空調システム１０Ａ（空調方法）では、第１送水ポンプ３６の停止時間（１ヶ月）が経過すると、第１機能水供給ライン１４による強殺菌運転が行われる。空調システム１０Ａ（空調方法）では、第１送水ポンプ３６の稼働時間（３０分）が経過すると、加湿水供給ライン１３による第１空調運転または第２空調運転が行われる。
【００６１】
コントローラ１６は、第１および第２送水ポンプ３６，４２の停止時間（停止期間）にあるかを判断する。第１および第２送水ポンプ３６，４２の停止時間にある場合であって、湿度センサ１７が計測した測定湿度が設定湿度に達していない場合、空調システム１０Ａ（空調方法）では、第１空調運転（第１空調操作）を実施する。第１空調運転では、空調室１１の設定温度がコントローラ１６から空調機１２の制御部に送信され、空調室１２の温度が設定温度になるように、空調機１２の制御部が冷却コイル２０または加熱コイル２１を調節する。さらに、加湿水供給ライン１３が加湿エレメント２２へ加湿水を給水するとともに、加湿エレメント２２が空調空気を加湿する。
【００６２】
第１空調運転では、第１および第２機能水供給ライン１４，１５から機能水は供給されない。第１空調運転においてコントローラ１６は、第１および第２送水ポンプ３６，４２の停止時間（停止期間）にあると判断し、第１および第２送水ポンプ３６，４２に停止指令を送信する。第１および第２送水ポンプ３６，４２は、コントローラ１６から送信された停止指令にしたがってその電源がＯＦＦとなり、停止状態を保持する。また、コントローラ１６は、加湿水用第１電磁弁３０の弁機構を開放した状態に保持する。
【００６３】
第１空調運転において、湿度センサ１７から測定湿度がコントローラ１６に送信されている。コントローラ１６は、湿度センサ１７が計測した測定湿度と設定湿度とを比較し、測定湿度が設定湿度に達していないと判断すると、加湿水用第２電磁弁３１に開放指令を送信する。加湿水用第２電磁弁３１は、コントローラ１６から送信された開放指令にしたがってその弁機構を開放する。なお、測定湿度が設定湿度に達していない間、加湿水用第２電磁弁３１の弁機構の開放が継続される。
【００６４】
第１空調運転では、加湿水用第２電磁弁３１の弁機構が開放され、図３に矢印Ｌ１で示すように、加湿水（水道水）が加湿水用給水管３３を通って加湿エレメント２２の上端部２７からエレメント２２全域に給水される。加湿エレメント２２では、加湿水を保水し、余剰分をドレンパン２４に排水する。空調機１２によって作られた空調空気は、加湿水を保水した加湿エレメント２２を通過しつつ、加湿水と接触し、加湿された空調空気となる。加湿された空調空気は、図３に矢印Ｌ２で示すように、給気ダクト２６から空調室１１に供給される。なお、測定湿度が設定湿度に達するまで第１空調運転が実施される。
【００６５】
次に、空調システム１０Ａ（空調方法）における第２空調運転（第２空調操作）を説明すると、以下のとおりである。コントローラ１６は、第１および第２送水ポンプ３６，４２の停止時間（停止期間）にあるかを判断する。第１および第２送水ポンプ３６，４２の停止時間にある場合であって、湿度センサ１７が計測した測定湿度が設定湿度に達している場合（第１空調運転を実施した後、測定湿度が設定湿度に達した場合を含む）、空調システム１０Ａ（空調方法）では、第２空調運転を実施する。
【００６６】
第２空調運転では、空調室１１の温度がコントローラ１６から送信された設定温度になるように、空調機１２が冷却コイル２０または加熱コイル２１を調節する。さらに、加湿水供給ライン１３から加湿エレメント２２への加湿水の給水が停止されるとともに、空調機１２によって作られた空調空気が空調室１１に供給される。
【００６７】
第２空調運転において、湿度センサ１７から測定湿度がコントローラ１６に送信されている。コントローラ１６は、湿度センサ１７が計測した測定湿度と設定湿度とを比較し、測定湿度が設定湿度に達したと判断すると、加湿水用第２電磁弁３１に閉鎖指令を送信する。加湿水用第２電磁弁３１は、コントローラ１６から送信された閉鎖指令にしたがってその弁機構を閉鎖する。なお、測定湿度が設定湿度に達している間、加湿水用第２電磁弁３１の弁機構の閉鎖が継続される。
【００６８】
第２空調運転では、加湿水用第２電磁弁３１の弁機構が閉鎖され、加湿水（水道水）の加湿エレメント２２への給水が停止される。加湿されない空調空気は、給気ダクト２５から空調室１１に供給される。なお、測定湿度が設定湿度に達している間、第２空調運転が実施され、測定湿度が設定湿度に達しなくなると、再び第１空調運転が実施される。
【００６９】
図４は、空調システム１０Ａ（空調方法）における弱殺菌運転（弱殺菌操作）の一例を説明する図である。図４に基づいて、空調システム１０Ａ（空調方法）における弱殺菌運転（弱殺菌操作）の一例を説明すると、以下のとおりである。空調システム１０Ａ（空調方法）では、加湿エレメント２２やドレンパン２４に発生した菌（繁殖した菌）を殺菌する場合、第１および第２空調運転を停止し、加湿エレメント２２やドレンパン２４を殺菌する殺菌運転（弱殺菌運転または強殺菌運転）を実施する。殺菌運転では、加湿水給水ライン１３からの加湿水の給水を停止しつつ、機能水貯水タンク３５，４１に貯水された機能水（第１機能水または第２機能水）を送水ポンプ３６，４２を介して機能水供給ライン１４，１５から加湿エレメント２２やドレンパン２４に所定時間（設定時間）供給する。
【００７０】
コントローラ１６は、第１および第２送水ポンプ３６，４２の停止時間（停止期間）にあるかを判断する。第１空調運転または第２空調運転を実施してから１週間が経過し、第１送水ポンプ３６の稼働時間になく（停止時間にあり）、第２送水ポンプ４２の停止時間にない（稼働時間にある）場合、空調システム１０Ａ（空調方法）では、第２機能水供給ライン１５による弱殺菌運転（弱殺菌操作）を実施する。なお、図２のタイムスケジュールに示すように、１週間の期間（時間）の起算日（起算時間）は弱殺菌運転を行う毎にリセットされ、弱殺菌運転が行われた後、あらたに１週間の期間（時間）が進行する。
【００７１】
弱殺菌運転では、加湿水供給ライン１３から加湿水は給水されず、第１機能水供給ライン１４から第１機能水は供給されない。弱殺菌運転においてコントローラ１６は、加湿水用第１電磁弁３０に閉鎖指令を送信する。加湿水用第１電磁弁３０は、コントローラ１６から送信された閉鎖指令にしたがってその弁機構を閉鎖する。それによって、加湿水給水ライン１３からの加湿水の給水が停止する。
【００７２】
弱殺菌運転においてコントローラ１６は、第２送水ポンプ４２の稼働時間にあると判断し、第２送水ポンプ４２に稼働指令を送信する。第２送水ポンプ４２は、コントローラ１６から送信された稼働指令にしたがってその電源がＯＮとなる。また、コントローラ１６は、第１送水ポンプ３６の停止時間にあると判断し、第１送水ポンプ３６に停止指令を送信する。第１送水ポンプ３６は、コントローラ１６から送信された停止指令にしたがってその電源がＯＦＦのままとなり、停止状態を保持する。
【００７３】
第２送水ポンプ４２が稼働すると、図４に矢印Ｌ３で示すように、第２機能水貯水タンク４１に貯水された第２機能水がタンク４１から機能水用第２供給管４４を通って加湿エレメント２２の上端部２７からエレメント２２全域に供給される。また、第２機能水が供給管５２を通ってドレンパン２４に供給される。なお、第２機能水をドレンパン２４に供給しない場合、仕切弁５３の弁機構が閉鎖される。加湿エレメント２２では、第２機能水を保水し、余剰分をドレンパン２４に排水する。弱殺菌運転では、加湿エレメント２２が第２機能水によって殺菌され、ドレンパン２４が第２機能水によって殺菌される。
【００７４】
なお、第２機能水が供給されると、第２機能水貯水タンク４１における第２機能水の貯水量が減少する。第２機能水生成装置４０の制御部は、第２水位センサ４５から送信された実測水位が設定水位未満になると、第２機能水を生成しつつ、生成した第２機能水を第２機能水貯水タンク４１に供給し、第２機能水貯水タンク４１における第２機能水の貯水量を設定水位にまで回復させる。
【００７５】
第２送水ポンプ４２が稼働してから３０分が経過し、第２送水ポンプ４２の稼働時間が経過した場合、コントローラ１６は、第２送水ポンプ４２の停止時間にあると判断し、第２送水ポンプ４２に停止指令を送信する。さらに、加湿水用第１電磁弁３０に開放指令を送信する。第２送水ポンプ４２は、コントローラ１６から送信された停止指令にしたがってその電源がＯＦＦとなり、停止状態を保持する。加湿水用第１電磁弁３０は、コントローラ１６から送信された開放指令にしたがってその弁機構を開放する。第２送水ポンプ４２が稼働してから３０分が経過した後、第１空調運転または第２空調運転のいずれかが行われる。図４の弱殺菌運転では、コントローラ１６が空調機１２の稼働を停止する場合、または、コントローラ１６が空調機１２の稼働を継続する場合がある。
【００７６】
弱殺菌運転（弱殺菌操作）において空調機１２の稼働を停止する場合、空調機１２から空調室１１への空調空気の供給が停止され、第２機能水の成分を含む空調空気は空調室１１に供給されない。弱殺菌運転において空調機１２の運転を停止させることで、加湿エレメント２２やドレンパン２４に第２機能水を留めることができ、加湿エレメント２２やドレンパン２４に菌が発生（繁殖）したとしても、第２機能水を利用して加湿エレメント２２やドレンパン２４を確実に殺菌することができる。また、第２機能水の成分を含んだ空調空気が空調室１１に供給されることはなく、第２機能水の臭気の空調室１１への充満を防ぐことができる。
【００７７】
弱殺菌運転（弱殺菌操作）において空調機１２の稼働を継続する場合、空調機１２から空調室１１への空調空気が供給され、第２機能水の成分を含む空調空気が空調室１１に供給される。弱殺菌運転において空調機１２を運転することで、第２機能水の成分を含んだ空調空気が空調室１１に供給され、第２機能水の殺菌作用（殺菌効果）によって空調室１１の空気が殺菌されるから、加湿エレメント２２やドレンパン２４を殺菌することができるのみならず、空調室１１も殺菌することができる。
【００７８】
図５は、空調システム１０Ａ（空調方法）における強殺菌運転（強殺菌操作）の一例を説明する図である。図５に基づいて、空調システム１０Ａ（空調方法）における強殺菌運転（強殺菌操作）の一例を説明すると、以下のとおりである。コントローラ１６は、第１および第２送水ポンプ３６，４２の停止時間（停止期間）にあるかを判断する。第１空調運転または第２空調運転を実施してから１ヶ月が経過し、第２送水ポンプ４２の稼働時間になく（停止時間にあり）、第１送水ポンプ３６の停止時間にない（稼働時間にある）場合、空調システム１０Ａ（空調方法）では、第１機能水供給ライン１４による強殺菌運転（強殺菌操作）を実施する。なお、図２のタイムスケジュールに示すように、１ヶ月の期間（時間）の起算日（起算時間）は強殺菌運転を行う毎にリセットされ、強殺菌運転が行われた後、あらたに１ヶ月の期間（時間）が進行する。
【００７９】
強殺菌運転では、加湿水供給ライン１３から加湿水は給水されず、第２機能水供給ライン１５から第２機能水は供給されない。強殺菌運転においてコントローラ１６は、加湿水用第１電磁弁３０に閉鎖指令を送信する。加湿水用第１電磁弁３０は、コントローラ１６から送信された閉鎖指令にしたがってその弁機構を閉鎖する。それによって、加湿水給水ライン１３からの加湿水の給水が停止する。
【００８０】
強殺菌運転においてコントローラ１６は、第１送水ポンプ３６の稼働時間にあると判断し、第１送水ポンプ３６に稼働指令を送信する。第１送水ポンプ３６は、コントローラ１６から送信された稼働指令にしたがってその電源がＯＮとなる。また、コントローラ１６は、第２送水ポンプ４２の停止時間にあると判断し、第２送水ポンプ４２に停止指令を送信する。第２送水ポンプ４２は、コントローラ１６から送信された停止指令にしたがってその電源がＯＦＦのままとなり、停止状態を保持する。
【００８１】
第１送水ポンプ３６が稼働すると、図５に矢印Ｌ４で示すように、第１機能水貯水タンク３５に貯水された第１機能水がタンク３５から機能水用第１供給管３８を通って加湿エレメント２２の上端部２７からエレメント２２全域に供給される。また、第１機能水が供給管５２を通ってドレンパン２４に供給される。なお、第１機能水をドレンパン２４に供給しない場合、仕切弁５３の弁機構が閉鎖される。加湿エレメント２２では、第１機能水を保水し、余剰分をドレンパン２４に排水する。強殺菌運転では、加湿エレメント２２が第１機能水によって殺菌され、ドレンパン２４が第１機能水によって殺菌される。
【００８２】
なお、第１機能水が供給されると、第１機能水貯水タンク３５における第１機能水の貯水量が減少する。第１機能水生成装置３４の制御部は、第１水位センサ３９から送信された実測水位が設定水位未満になると、第１機能水を生成しつつ、生成した第１機能水を第１機能水貯水タンク３５に供給し、第１機能水貯水タンク３５における第１機能水の貯水量を設定水位にまで回復させる。
【００８３】
第１送水ポンプ３６が稼働してから３０分が経過し、第１送水ポンプ３６の稼働時間が経過した場合、コントローラ１６は、第１送水ポンプ３６の停止時間にあると判断し、第１送水ポンプ３６に停止指令を送信する。さらに、加湿水用第１電磁弁３０に開放指令を送信する。第１送水ポンプ３６は、コントローラ１６から送信された停止指令にしたがってその電源がＯＦＦとなり、停止状態を保持する。加湿水用第１電磁弁３０は、コントローラ１６から送信された開放指令にしたがってその弁機構を開放する。第１送水ポンプ３６が稼働してから３０分が経過した後、第１空調運転または第２空調運転のいずれかが行われる。図５の強殺菌運転では、コントローラ１６が空調機１２の稼働を停止する場合、または、コントローラ１６が空調機１２の稼働を継続する場合がある。
【００８４】
強殺菌運転（強殺菌操作）において空調機１２の稼働を停止する場合、空調機１２から空調室１１への空調空気の供給が停止され、第１機能水の成分を含む空調空気は空調室１１に供給されない。強殺菌運転において空調機１２の運転を停止させることで、加湿エレメント２２やドレンパン２４に殺菌作用の強い第１機能水を留めることができ、加湿エレメント２２やドレンパン２４に菌が発生（繁殖）したとしても、第１機能水を利用して加湿エレメント２２やドレンパン２４を確実に殺菌することができる。また、第１機能水の成分を含んだ空調空気が空調室１１に供給されることはなく、第１機能水の臭気の空調室１１への充満を防ぐことができる。
【００８５】
強殺菌運転（強殺菌操作）において空調機１２の稼働を継続する場合、空調機１２から空調室１１への空調空気が供給され、第１機能水の成分を含む空調空気が空調室１１に供給される。強殺菌運転において空調機１２を運転することで、殺菌作用の強い第１機能水の成分を含んだ空調空気が空調室１１に供給され、第１機能水の殺菌作用（殺菌効果）によって空調室１１の空気が殺菌されるから、加湿エレメント２２やドレンパン２４を殺菌することができるのみならず、空調室１１も殺菌することができる。
【００８６】
空調システム１０Ａ（空調方法）は、湿度センサ１７が計測した湿度が設定湿度に達していない場合、加湿エレメント２２が空調機１２によって作られた空調空気を加湿する第１空調運転（第１空調操作）を実施し、湿度センサ１７が計測した湿度が設定湿度に達している場合、空調機１２によって作られた空調空気を加湿することなく空調室１１に供給する第２空調運転（第２空調操作）を実施するから、適度な湿度を有する空調空気を空調機１２から空調室１１に供給することができ、加湿エレメント２２に発生（繁殖）した菌を殺菌する場合、第１および第２空調運転（第１および第２空調操作）を停止して加湿エレメント２２やドレンパン２４を殺菌する殺菌運転（殺菌操作）を実施するから、加湿エレメント２２やドレンパン２４を清潔な状態にすることができる。
【００８７】
空調システム１０Ａ（空調方法）は、加湿水を利用して空調空気を加湿し、適度な湿度を有する空調空気を空調室１１に供給することができるのみならず、空調機１２の加湿エレメント２２やドレンパン２４の殺菌が必要な場合に機能水を利用して加湿エレメント２２やドレンパン２４を殺菌することができ、加湿エレメント２２やドレンパン２４を清潔な状態で利用することができる。空調システム１０Ａ（空調方法）は、加湿エレメント２２やドレンパン２４を清潔な状態で利用することができるから、加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１に供給することができる。
【００８８】
図６は、他の一例として示す空調システム１０Ｂの構成図であり、図７は、空調システム１０Ｂ（空調方法）における第１空調運転（第１空調操作）を説明する図である。図６のシステム１０Ｂが図１のそれと異なるところは、図１の空調室１１Ａ（第１空調室）の他に第２空調室１１Ｂが存在し、図１の空調機１２Ａ（第１空調機）の他に第２空調機１２Ｂが存在する点、それら空調機１２Ａ，１２Ｂからそれら空調室１１Ａ，１１Ｂに個別に空調空気が供給される点にある。さらに、加湿水供給ライン１３と第１および第２機能水供給ライン１４，１５とが第１空調機１２Ａと第２空調機１２Ｂとに接続されている点、加湿エレメント２２の上端部２７につながる給水管３８，４４に第１および第２切換用電磁弁４７Ａ，４７Ｂが設置されている点にある。
【００８９】
このシステム１０Ｂにおける空調室１１Ａ，１１Ｂや空調機１２Ａ，１２Ｂは図１のシステム１０Ａのそれらと同一であるから、図１と同一の符号を付すとともに、図１のシステム１０Ａの説明を援用することで、それらの詳細な説明は省略する。なお、空調室１１や空調機１２の数に特に限定はなく、システム１０Ｂに３室以上の空調室１１が存在し、３台以上の空調機１２が存在してもよい。また、１台の空調機１２によって２室以上の空調室１１を空調してもよい。
【００９０】
空調システム１０Ｂ（空調方法）は、所定容積を有する第１および第２空調室１１Ａ，１１Ｂと、空気を空調する第１および第２空調機１２Ａ，１２Ｂと、加湿水供給ライン１３と、第１および第２機能水供給ライン１４，１５（第１機能水供給ライン〜第ｎ機能水供給ライン）と、コントローラ１６（制御装置）と、湿度センサ１７Ａ，１７Ｂとから形成されている。なお、図５のシステム１０Ｂでは、２本の機能水供給ライン１４，１５が設置されているが、機能水供給ラインの本数に特に限定はなく、１本の機能水供給ラインのみが設置されていてもよく、３本以上の機能水供給ラインが設置されていてもよい。
【００９１】
湿度センサ１７Ａ，１７Ｂは、それら空調室１１Ａ，１１Ｂの内部に設置されている。湿度センサ１７Ａ，１７Ｂは、インターフェイス１８を介してコントローラ１６に接続されている。湿度センサ１７Ａ，１７Ｂは、各空調室１１Ａ，１１Ｂの内部の湿度を計測し、計測した測定湿度をコントローラ１６に送信する。空調室１１Ａ，１１Ｂの内部の設定湿度や設定温度は、コントローラ１６に送信される。
【００９２】
それら空調機１２Ａ，１２Ｂは、各空調室１１Ａ，１１Ｂに気化式加湿（滴下式加湿）によって加湿された空調空気または加湿されない空調空気を供給する。空調機１２Ａ，１２Ｂの制御部では、コントローラ１６から送信された設定温度によって冷却コイル２０または加熱コイル２１に熱媒を流し、空調室１１Ａ，１１Ｂの温度をコントロールする。加湿水供給ライン１３は、第１加湿水用電磁弁３０および２つの第２加湿水用電磁弁３１Ａ，３１Ｂと、２つのチャッキ弁３２と、加湿水用給水管３３とから形成されている。加湿水用給水管３３の基端部は、水源配管に連結されている。加湿水用給水管３３の先端部は、２つに分岐して気化式加湿エレメント２２の上端部２７に連結されている。
【００９３】
加湿水用第１電磁弁３０は、加湿水用給水管３３に取り付けられ、その制御部がインターフェイス１８を介してコントローラ１６に接続されている。それらチャッキ弁３２は、加湿水用給水管３３に取り付けられ、加湿水の逆流を防止する。それら加湿水用第２電磁弁３１Ａ，３１Ｂは、加湿水用給水管３３に取り付けられ、その制御部がインターフェイス１８を介してコントローラ１６に接続されている。
【００９４】
第１機能水供給ライン１４および第２機能水供給ライン１５は、２つに分岐して第１および第２空調機１２Ａ，１２Ｂの加湿エレメント２２に連結されている点、第１および第２切換用電磁弁４７Ａ，４７Ｂが設置されている点を除き、図１のそれらと同一である。空調機１２Ａに設置された加湿エレメント２２の上端部２７につながる供給管３８，４４には、第１切換用電磁弁４７Ａが設置され、空調機１２Ｂに設置された加湿エレメント２２の上端部２７につながる供給管３８，４４には、第１切換用電磁弁４７Ｂが設置されている。それら切換用電磁弁４７Ａ，４７Ｂの制御部は、インターフェイスを介してコントローラ１６に接続されている。コントローラ１６のハードディスクには、図１のシステム１０Ａと同様に、図２に示すタイムスケジュールが格納されている。
【００９５】
図７に基づいて、空調システム１０Ｂ（空調方法）における第１空調運転（第１空調操作）を説明すると、以下のとおりである。なお、第１および第２送水ポンプ３６，４２の停止時間（停止期間）や稼働時間（稼働期間）は、図１のシステム１０Ａと同一の時間（期間）が設定されているものとする。また、第１機能水貯水タンク３５に第１機能水が貯水され、第２機能水貯水タンク４１に第２機能水が貯水されているものとする。
【００９６】
第１および第２送水ポンプ３６，４２の停止時間にある場合であって、各湿度センサ１７Ａ，１７Ｂが計測した測定湿度が設定湿度に達していない場合、空調システム１０Ｂ（空調方法）では、第１空調運転を実施する。第１空調運転では、各空調室１１Ａ，１１Ｂの温度がコントローラ１６から送信された設定温度になるように、各空調機１２Ａ，１２Ｂが冷却コイル２０または加熱コイル２１を調節する。さらに、加湿水供給ライン１３が各加湿エレメント２２へ加湿水を給水するとともに、加湿エレメント２２が各空調機１２Ａ，１２Ｂによって作られた空調空気を加湿する。
【００９７】
第１空調運転では、第１および第２機能水供給ライン１４，１５から機能水は供給されない。第１空調運転では、コントローラ１６が加湿水用第１電磁弁３０の弁機構を開放した状態に保持する。また、コントローラ１６が第１および第２送水ポンプ３６，４２に停止指令を送信し、第１および第２送水ポンプ３６，４２がコントローラ１６から送信された停止指令にしたがって停止状態を保持する。
【００９８】
コントローラ１６は、湿度センサ１７Ａ，１７Ｂが計測した測定湿度と設定湿度とを比較し、測定湿度が設定湿度に達していないと判断すると、加湿水用第２電磁弁３１Ａ，３１Ｂの弁機構を開放する。また、測定湿度が設定湿度に達していない間、加湿水用第２電磁弁３１Ａ，３１Ｂの弁機構の開放を継続する。加湿水用第２電磁弁３１Ａ，３１Ｂの弁機構が開放されると、図７に矢印Ｌ１で示すように、加湿水（水道水）が加湿水用給水管３３を通って加湿エレメント２２の上端部２７からエレメント２２全域に給水される。加湿エレメント２２では、加湿水を保水し、余剰分をドレンパン２４に排水する。空調機１２Ａ，１２Ｂによって作られた空調空気は、加湿水を保水した加湿エレメント２２を通過しつつ、加湿水と接触し、加湿された空調空気となる。加湿された空調空気は、図７に矢印Ｌ２で示すように、給気ダクト２６から空調室１１Ａ，１１Ｂに供給される。なお、測定湿度が設定湿度に達するまで第１空調運転が実施される。
【００９９】
次に、空調システム１０Ｂ（空調方法）における第２空調運転（第２空調操作）を説明すると、以下のとおりである。第１および第２送水ポンプ３６，４２の停止時間にある場合であって、湿度センサ１７Ａ，１７Ｂが計測した測定湿度が設定湿度に達している場合（第１空調運転を実施した後、測定湿度が設定湿度に達した場合を含む）、空調システム１０Ｂ（空調方法）では、第２空調運転を実施する。
【０１００】
第２空調運転では、第１および第２空調室１１Ａ，１１Ｂの温度がコントローラ１６から送信された設定温度になるように、それら空調機１２Ａ，１２Ｂが冷却コイル２０または加熱コイル２１を調節する。さらに、加湿水供給ライン１３から加湿エレメント２２への加湿水の給水が停止されるとともに、各空調機１２Ａ，１２Ｂによって作られた空調空気が各空調室１１Ａ，１１Ｂに供給される。
【０１０１】
コントローラ１６は、湿度センサ１７Ａ，１７Ｂが計測した測定湿度と設定湿度とを比較し、測定湿度が設定湿度に達したと判断すると、加湿水用第２電磁弁３１Ａ，３１Ｂの弁機構を閉鎖する。また、測定湿度が設定湿度に達している間、加湿水用第２電磁弁３１Ａ，３１Ｂの弁機構の閉鎖を継続する。第２空調運転では、加湿水用第２電磁弁３１Ａ，３１Ｂの弁機構が閉鎖され、加湿水（水道水）の加湿エレメント２２への給水が停止される。空調空気は、給気ダクト２５から空調室１１Ａ，１１Ｂに供給される。なお、測定湿度が設定湿度に達している間、第２空調運転が実施され、測定湿度が設定湿度に達しなくなると、再び第１空調運転が実施される。
【０１０２】
図８は、空調システム１０Ｂ（空調方法）における弱殺菌運転（弱殺菌操作）の一例を説明する図である。図８に基づいて、空調システム１０Ｂ（空調方法）における弱殺菌運転（弱殺菌操作）の一例を説明すると、以下のとおりである。コントローラ１６は、第１および第２送水ポンプ３６，４２の停止時間（停止期間）にあるかを判断する。第１空調運転または第２空調運転を実施してから１週間が経過し、第１送水ポンプ３６の稼働時間になく（停止時間にあり）、第２送水ポンプ４２の停止時間にない（稼働時間にある）場合、空調システム１０Ｂ（空調方法）では、第２機能水供給ライン１５による弱殺菌運転を実施する。
【０１０３】
弱殺菌運転では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。弱殺菌運転では、コントローラ１６が第２送水ポンプ４２の稼働時間にあると判断し、第２送水ポンプ４２に稼働指令を送信し、ポンプ４２の電源がＯＮとなり、ポンプ４２が稼働する。また、コントローラ１６が第１送水ポンプ３６の停止時間にあると判断し、第１送水ポンプ３６に停止指令を送信し、ポンプ３６の電源がＯＦＦのままとなり、ポンプ３６が停止状態を保持する。さらに、コントローラ１６が切換用第１および第２電磁弁４７Ａ，４７Ｂに開放指令を送信し、それら電磁弁４７Ａ，４７Ｂがその弁機構を開放する。
【０１０４】
第２送水ポンプ４２が稼働し、電磁弁４７Ａ，４７Ｂの弁機構が開放されると、図８に矢印Ｌ３で示すように、第２機能水貯水タンク４１に貯水された第２機能水がタンク４１から機能水用第２供給管４４を通って加湿エレメント２２の上端部２７からエレメント２２全域に供給される。また、第２機能水が供給管５２を通ってドレンパン２４に供給される。加湿エレメント２２では、第２機能水を保水し、余剰分をドレンパン２４に排水する。
【０１０５】
弱殺菌運転では、加湿エレメント２２が第２機能水によって殺菌され、ドレンパン２４が第２機能水によって殺菌される。第２機能水生成装置４０の制御部は、第２水位センサ４５から送信された実測水位が設定水位未満になると、第２機能水を生成しつつ、生成した第２機能水を第２機能水貯水タンク４１に供給し、第２機能水貯水タンク４１における第２機能水の貯水量を設定水位にまで回復させる。
【０１０６】
第２送水ポンプ４２が稼働してから３０分が経過し、第２送水ポンプ４２の稼働時間が経過した場合、コントローラ１６が第２送水ポンプ４２の停止時間にあると判断し、第２送水ポンプ４２に停止指令を送信し、ポンプ４２の電源がＯＦＦとなり、ポンプ４２が停止状態を保持する。コントローラ１６が加湿水用第１電磁弁３０に開放指令を送信し、加湿水用第１電磁弁３０がその弁機構を開放する。さらに、コントローラ１６が切換用第１および第２電磁弁４７Ａ，４７Ｂに閉鎖指令を送信し、それら電磁弁４７Ａ，４７Ｂがその弁機構を閉鎖する。第２送水ポンプ４２が稼働してから３０分が経過し、ポンプ４２が停止した直後に第１空調運転または第２空調運転のいずれかが行われる。図８の弱殺菌運転では、図１のそれと同様に、コントローラ１６が空調機１２の稼働を停止する場合、または、コントローラ１６が空調機１２の稼働を継続する場合がある。
【０１０７】
図９は、空調システム１０Ｂ（空調方法）における強殺菌運転（強殺菌操作）の一例を説明する図である。図９に基づいて、空調システム１０Ｂ（空調方法）における強殺菌運転（強殺菌操作）の一例を説明すると、以下のとおりである。コントローラ１６は、第１および第２送水ポンプ３６，４２の停止時間（停止期間）にあるかを判断する。第１空調運転または第２空調運転を実施してから１ヶ月が経過し、第２送水ポンプ４２の稼働時間になく（停止時間にあり）、第１送水ポンプ３６の停止時間にない（稼働時間にある）場合、空調システム１０Ｂ（空調方法）では、第１機能水供給ライン１４による強殺菌運転を実施する。
【０１０８】
強殺菌運転では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。強殺菌運転では、コントローラ１６が第１送水ポンプ３６の稼働時間にあると判断し、第１送水ポンプ３６に稼働指令を送信し、ポンプ３６の電源がＯＮとなり、ポンプ３６が稼働する。また、コントローラ１６が第２送水ポンプ４２の停止時間にあると判断し、第２送水ポンプ４２に停止指令を送信し、ポンプ４２の電源がＯＦＦのままとなり、ポンプ４２が停止状態を保持する。さらに、コントローラ１６が切換用第１および第２電磁弁４７Ａ，４７Ｂに開放指令を送信し、それら電磁弁４７Ａ，４７Ｂがその弁機構を開放する。
【０１０９】
第１送水ポンプ３６が稼働し、電磁弁４７Ａ，４７Ｂの弁機構が開放されると、図９に矢印Ｌ４で示すように、第１機能水貯水タンク３５に貯水された第１機能水がタンク３５から機能水用第１供給管３８を通って加湿エレメント２２の上端部２７からエレメント２２全域に供給される。また、第１機能水が供給管５２を通ってドレンパン２４に供給される。加湿エレメント２２では、第１機能水を保水し、余剰分をドレンパン２４に排水する。
【０１１０】
強殺菌運転では、加湿エレメント２２が第１機能水によって殺菌され、ドレンパン２４が第１機能水によって殺菌される。第１機能水生成装置３４の制御部は、第１水位センサ３９から送信された実測水位が設定水位未満になると、第１機能水を生成しつつ、生成した第１機能水を第１機能水貯水タンク３５に供給し、第１機能水貯水タンク３５における第１機能水の貯水量を設定水位にまで回復させる。
【０１１１】
第１送水ポンプ３６が稼働してから３０分が経過し、第１送水ポンプ３６の稼働時間が経過した場合、コントローラ１６が第１送水ポンプ３６の停止時間にあると判断し、第１送水ポンプ３６に停止指令を送信し、ポンプ３６の電源がＯＦＦとなり、ポンプ３６が停止状態を保持する。また、コントローラ１６が加湿水用第１電磁弁３０に開放指令を送信し、加湿水用第１電磁弁３０がその弁機構を開放する。さらに、コントローラ１６が切換用第１および第２電磁弁４７Ａ，４７Ｂに閉鎖指令を送信し、それら電磁弁４７Ａ，４７Ｂがその弁機構を閉鎖するする。第１送水ポンプ３６が稼働してから３０分が経過し、ポンプ３６が停止した直後に第１空調運転または第２空調運転のいずれかが行われる。図９の強殺菌運転では、図１のそれと同様に、コントローラ１６が空調機１２の稼働を停止する場合、または、コントローラ１６が空調機１２の稼働を継続する場合がある。
【０１１２】
空調システム１０Ｂ（空調方法）は、湿度センサ１７Ａ，１７Ｂが計測した湿度が設定湿度に達していない場合、各加湿エレメント２２が各空調機１２Ａ，１２Ｂによって作られた空調空気を加湿する第１空調運転（第１空調操作）を実施し、湿度センサ１７Ａ，１７Ｂが計測した湿度が設定湿度に達している場合、各空調機１２Ａ，１２Ｂによって作られた空調空気を加湿することなく各空調室１１Ａ，１１Ｂに供給する第２空調運転（第２空調操作）を実施するから、適度な湿度を有する空調空気を各空調機１２Ａ，１２Ｂから各空調室１１Ａ，１１Ｂに供給することができ、それら加湿エレメント２２やドレンパン２４に発生（繁殖）した菌を殺菌する場合、第１および第２空調運転（第１および第２空調操作）を停止して各加湿エレメント２２や各ドレンパン２４を殺菌する殺菌運転（殺菌操作）を実施するから、それら加湿エレメント２２やそれらドレンパン２４を清潔な状態にすることができる。
【０１１３】
空調システム１０Ｂ（空調方法）は、加湿水を利用して空調空気を加湿し、適度な湿度を有する空調空気を各空調室１１Ａ，１１Ｂに供給することができるのみならず、それら空調機１２Ａ，１２Ｂの加湿エレメント２２やドレンパン２４の殺菌が必要な場合に機能水を利用して各加湿エレメント２２やドレンパン２４を殺菌することができ、各加湿エレメント２２やドレンパン２４を清潔な状態で利用することができる。空調システム１０Ｂ（空調方法）は、それら加湿エレメント２２やドレンパン２４を清潔な状態で利用することができるから、各加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１Ａ，１１Ｂに供給することができる。
【０１１４】
図１０は、図６とは異なる空調システム１０Ｂの構成図である。図１０のシステム１０Ｂが図６のそれと異なるところは、空調機１２Ａ（第１空調機）に向かって延びていて加湿エレメント２２の上端部２７につながる給水管３８に第１切換用電磁弁４７Ａが設置され、空調機１２Ａに向かって延びていて加湿エレメント２２の上端部２７につながる給水管４４に第２切換用電磁弁４７Ｂが設置されている点、空調機１２Ｂ（第２空調機）に向かって延びていて加湿エレメント２２の上端部２７につながる給水管３８に第３切換用電磁弁４７Ｃが設置され、空調機１２Ｂに向かって延びていて加湿エレメント２２の上端部２７につながる給水管４４に第４切換用電磁弁４７Ｄが設置されている点にある。第１〜第４切換用電磁弁４７Ａ〜４７Ｄは、インターフェイス１８を介してコントローラ１６に接続されている。
【０１１５】
図１０に示すシステム１０Ｂにおけるその他の構成は図６のシステム１０Ｂのそれらと同一であるから、図６と同一の符号を付すとともに、図６のシステム１０Ｂの説明を援用することで、それらの説明は省略する。図１０のシステム１０Ｂは、それら給水管３８，４４に第１〜第４切換用電磁弁４７Ａ〜４７Ｄを設置し、第１〜第４切換用電磁弁４７Ａ〜４７Ｄを利用して第１および第２機能水の供給切替えを行うことで、空調機１２Ａにおいて弱殺菌運転を実施し、空調機１２Ｂにおいて強殺菌運転を実施することができる。また、空調機１２Ａにおいて強殺菌運転を実施し、空調機１２Ｂにおいて弱殺菌運転を実施することができる。なお、空調機１２Ａ，１２Ｂにおいて弱殺菌運転または強殺菌運転のいずれかが行えることはいうまでもない。
【０１１６】
図１０のシステム１０Ｂは、空調機１２Ａ，１２Ｂの一方において弱殺菌運転を実施し、他方において強殺菌運転を実施することができるから、菌の繁殖の度合い、加湿エレメント２２やドレンパン２４の使用年数、空調機１２Ａ，１２Ｂの新旧等の条件に応じて強弱いずれかの殺菌運転を各空調機１２Ａ，１２Ｂに適用することができ、それら空調機１２Ａ，１２Ｂの加湿エレメント２２やドレンパン２４を清潔な状態にすることができる。
【０１１７】
図１１は、他の一例として示す空調システム１０Ｃの構成図である。図１１のシステム１０Ｃが図１のそれと異なるところは、空調機１２に臭気センサ４６（ニオイセンサ）が設置されている点にあり、その他の構成は図１のシステム１０Ａのそれらと同一であるから、図１と同一の符号を付すとともに、図１のシステム１０Ａの説明を援用することで、このシステム１０Ｃにおけるその他の構成の詳細な説明は省略する。
【０１１８】
空調システム１０Ｃ（空調方法）は、所定容積を有する空調室１１と、空気を空調する空調機１２と、加湿水供給ライン１３と、第１および第２機能水供給ライン１４，１５（第１機能水供給ライン〜第ｎ機能水供給ライン）と、コントローラ１６（制御装置）と、湿度センサ１７と、臭気センサ４６（ニオイセンサ）とから形成されている。
【０１１９】
なお、図１０のシステム１０Ｃでは、２本の機能水供給ライン１４，１５が設置されているが、機能水供給ラインの本数に特に限定はなく、１本の機能水供給ラインのみが設置されていてもよく、３本以上の機能水供給ラインが設置されていてもよい。湿度センサ１７は、空調室１１の内部に設置され、インターフェイス１８を介してコントローラ１６に接続されている。空調室１１の内部の設定湿度や設定温度は、コントローラ１６に送信される。空調機１２の制御部では、コントローラ１６から送信された設定温度によって冷却コイル２０または加熱コイル２１に熱媒を流し、空調室１１の温度をコントロールする。
【０１２０】
臭気センサ４６は、空調機１２の内部に設置されている。臭気センサ４６は、インターフェイス１８を介してコントローラ１６に接続されている。臭気センサ４６は、送風機２３から流出した空調空気の臭気を計測し、計測した測定臭気をコントローラ１６に送信する。臭気センサ４６は、金属酸化物半導体センサを利用し、臭気とセンサとの反応によって臭気レベル（ニオイの強さ）を計測する。臭気センサ４６は、基準となるガス（アンモニア系ガス、アミン系ガス、アルデヒド系ガス、芳香族系ガス、エステル系ガス、炭化水素系ガス、有機酸系ガス、硫黄系ガス、硫化水素系ガス）との対比によって類似度、臭気寄与度を分析する。
【０１２１】
コントローラ１６のハードディスクには、第１および第２送水ポンプ３６，４２の稼働時間が格納され、設定臭気レベル（設定されたニオイの強さ）が格納されているとともに、第１空調運転または第２空調運転を実施したときから（ポンプ３６，４２の稼働が停止してから）測定臭気レベルと設定臭気レベルとの比較を再開（臭気センサ４６の計測を実質的に再開）するまでの時間が格納されている。第１および第２送水ポンプ３６，４２の稼働時間は、３０分が設定されているものとする。定臭気レベルは、弱殺菌運転を行う基準となる第１設定臭気レベルと、強殺菌運転を行う基準となる第２設定臭気レベルとがある。たとえば、第１設定臭気レベルとして８００が設定され、第２設定臭気レベルとして１２００が設定されているものとする。測定臭気レベルと設定臭気レベルとの比較を再開するまでの時間は、３０分が設定されているものとする。なお、ポンプ３６，４２の稼働時間や設定臭気レベル、臭気センサ４６を再起動させるまでの時間は、テンキーユニットを介して自由に設定することができる。
【０１２２】
コントローラ１６は、湿度センサ１７から送信された測定湿度と設定湿度と比較するとともに、臭気センサ４６から送信された測定臭気レベルと設定された第１および第２設定臭気レベルとを比較する。測定臭気レベルとそれら設定臭気レベルとを比較し、測定湿度と設定湿度と比較した結果、測定臭気レベルがそれら設定臭気レベルに達していない場合であって、測定湿度が設定湿度に達していない場合、空調システム１０Ｃ（空調方法）では、第１空調運転（第１空調操作）を実施する。なお、第１空調運転は、図１のシステム１０Ａのそれと同一であるから、図１のシステム１０Ａの説明を援用することで、その説明は省略する。
【０１２３】
測定臭気レベルとそれら設定臭気レベルとを比較し、測定湿度と設定湿度と比較した結果、測定臭気レベルがそれら設定臭気レベルに達していない場合であって、測定湿度が設定湿度に達している場合、空調システム１０Ｃ（空調方法）では、第２空調運転（第２空調工程）を実施する。なお、第２空調運転は、図１のシステム１０Ａのそれと同一であるから、図１のシステム１０Ａの説明を援用することで、その説明は省略する。
【０１２４】
図１２は、空調システム１０Ｃ（空調方法）における弱殺菌運転（弱殺菌操作）の一例を説明する図である。図１２に基づいて、空調システム１０Ｃ（空調方法）における弱殺菌運転（弱殺菌操作）の一例を説明すると、以下のとおりである。臭気センサ４６から送信された測定臭気レベルとそれら設定臭気レベルとを比較した結果、測定臭気レベルが第１設定臭気レベルに達しているとともに、測定臭気レベルが第２設定臭気レベルに達していない場合、空調システム１０Ｃ（空調方法）では、第２機能水供給ライン１５による弱殺菌運転を実施する。
【０１２５】
弱殺菌運転においてコントローラ１６は、臭気センサ４６から測定臭気が送信されたとしても、その測定臭気レベルと設定臭気レベルとの比較は行わない（臭気センサ４６の計測を実質的に停止）。弱殺菌運転では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。弱殺菌運転では、コントローラ１６が第２送水ポンプ４２に稼働指令を送信し、ポンプ４２の電源がＯＮとなり、ポンプ４２が稼働する。また、コントローラ１６が第１送水ポンプ３６に停止指令を送信し、ポンプ３６の電源がＯＦＦのままとなり、ポンプ３６が停止状態を保持する。
【０１２６】
第２送水ポンプ４２が稼働すると、図１２に矢印Ｌ３で示すように、第２機能水貯水タンク４１に貯水された第２機能水がタンク４１から機能水用第２供給管４４を通って加湿エレメント２２の上端部２７からエレメント２２全域に供給される。また、第２機能水が供給管５２を通ってドレンパン２４に供給される。なお、第２機能水をドレンパン２４に供給しない場合、仕切弁５３の弁機構が閉鎖される。加湿エレメント２２では、第２機能水を保水し、余剰分をドレンパン２４に排水する。弱殺菌運転では、加湿エレメント２２が第２機能水によって殺菌され、ドレンパン２４が第２機能水によって殺菌される。
【０１２７】
第２機能水生成装置４０の制御部は、第２水位センサ４５から送信された実測水位が設定水位未満になると、第２機能水を生成しつつ、生成した第２機能水を第２機能水貯水タンク４１に供給し、第２機能水貯水タンク４１における第２機能水の貯水量を設定水位にまで回復させる。
【０１２８】
第２送水ポンプ４２が稼働してから３０分が経過し、第２送水ポンプ４２の稼働時間が経過した場合、コントローラ１６が第２送水ポンプ４２の停止時間にあると判断し、第２送水ポンプ４２に停止指令を送信し、ポンプ４２の電源がＯＦＦとなり、ポンプ４２が停止状態を保持する。コントローラ１６は、加湿水用第１電磁弁３０に開放指令を送信し、加湿水用第１電磁弁３０がその弁機構を開放する。第２送水ポンプ４２が稼働してから３０分が経過し、ポンプ４２が停止した直後に第１空調運転または第２空調運転のいずれかが行われる。
【０１２９】
コントローラ１６は、第１空調運転または第２空調運転を実施したときから３０分が経過後（第２送水ポンプ４２が停止してから３０分が経過した後）、臭気センサ４６から送信された測定臭気レベルと設定臭気レベルとの比較を再開する（臭気センサ４６の計測を実質的に再開）。図１１の弱殺菌運転では、図１のそれと同様に、コントローラ１６が空調機１２の稼働を停止する場合、または、コントローラ１６が空調機１２の稼働を継続する場合がある。
【０１３０】
図１３は、空調システム１０Ｃ（空調方法）における強殺菌運転（強殺菌操作）の一例を説明する図である。図１３に基づいて、空調システム１０Ｃ（空調方法）における強殺菌運転（強殺菌操作）の一例を説明すると、以下のとおりである。臭気センサ４６から送信された測定臭気レベルとそれら設定臭気レベルとを比較した結果、測定臭気レベルが第２設定臭気レベルに達している場合、空調システム１０Ｃ（空調方法）では、第１機能水供給ライン１４による強殺菌運転を実施する。
【０１３１】
強殺菌運転においてコントローラ１６は、臭気センサ４６から測定臭気が送信されたとしても、その測定臭気レベルと設定臭気レベルとの比較は行わない（臭気センサ４６の計測を実質的に停止）。強殺菌運転では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。強殺菌運転では、コントローラ１６が第１送水ポンプ３６に稼働指令を送信し、ポンプ３６の電源がＯＮとなり、ポンプ３６が稼働する。また、コントローラ１６が第２送水ポンプ４２に停止指令を送信し、ポンプ４２の電源がＯＦＦのままとなり、ポンプ４２が停止状態を保持する。
【０１３２】
第１送水ポンプ３６が稼働すると、図１３に矢印Ｌ４で示すように、第１機能水貯水タンク３５に貯水された第１機能水がタンク３５から機能水用第１供給管３８を通って加湿エレメント２２の上端部２７からエレメント２２全域に供給される。また、第１機能水が供給管５２を通ってドレンパン２４に供給される。なお、第１機能水をドレンパン２４に供給しない場合、仕切弁５３の弁機構が閉鎖される。加湿エレメント２２では、第１機能水を保水し、余剰分をドレンパン２４に排水する。強殺菌運転では、加湿エレメント２２が第１機能水によって殺菌され、ドレンパン２４が第１機能水によって殺菌される。
【０１３３】
第１機能水生成装置３４の制御部は、第１水位センサ３９から送信された実測水位が設定水位未満になると、第１機能水を生成しつつ、生成した第１機能水を第１機能水貯水タンク３５に供給し、第１機能水貯水タンク３５における第１機能水の貯水量を設定水位にまで回復させる。
【０１３４】
第１送水ポンプ３６が稼働してから３０分が経過し、第１送水ポンプ３６の稼働時間が経過した場合、コントローラ１６が第１送水ポンプ３６の停止時間にあると判断し、第１送水ポンプ３６に停止指令を送信し、ポンプ３６の電源がＯＦＦとなり、ポンプ３６が停止状態を保持する。コントローラ１６は、加湿水用第１電磁弁３０に開放指令を送信し、加湿水用第１電磁弁３０がその弁機構を開放する。第１送水ポンプ３６が稼働してから３０分が経過し、ポンプ３６が停止した直後に第１空調運転または第２空調運転のいずれかが行われる。
【０１３５】
コントローラ１６は、第１空調運転または第２空調運転を実施したときから３０分が経過後（第１送水ポンプ３６が停止してから３０分が経過した後）、臭気センサ４６から送信された測定臭気レベルと設定臭気レベルとの比較を再開する（臭気センサ４６の計測を実質的に再開）。図１２の強殺菌運転では、図１のそれと同様に、コントローラ１６が空調機１２の稼働を停止する場合、または、コントローラ１６が空調機１２の稼働を継続する場合がある。
【０１３６】
空調システム１０Ｃ（空調方法）は、加湿エレメント２２やドレンパン２４において菌が発生（繁殖）すると、加湿エレメント２２やドレンパン２４から悪臭が発生し、その悪臭を臭気センサ４６によって計測することで、加湿エレメント２２やドレンパン２４における菌の発生（繁殖）を判定することができる。空調システム１０Ｃ（空調方法）は、測定臭気レベルが設定臭気レベルを超えた場合、加湿エレメント２２やドレンパン２４における菌の発生（繁殖）が認められ、弱殺菌運転または強殺菌運転（殺菌操作）を実施するから、加湿エレメント２２やドレンパン２４に菌が発生（繁殖）したとしても、第１機能水または第２機能水を利用して加湿エレメント２２やドレンパン２４を確実に殺菌することができる。
【０１３７】
空調システム１０Ｃ（空調方法）は、加湿エレメント２２やドレンパン２４を清潔な状態で利用することができるから、加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１に供給することができる。
【０１３８】
殺菌運転（殺菌操作）中に臭気レベルと設定臭気レベルとの比較を継続すると、機能水の臭気によって臭気レベルが設定臭気レベルを超えた状態となる場合があり、不必要な殺菌運転（殺菌操作）が継続されることになるが、空調システム１０Ｃ（空調方法）は、殺菌運転（殺菌操作）において臭気レベルと設定臭気レベルとの比較を停止するから、機能水の臭気によって臭気レベルが設定臭気レベルを超えることはなく、最適な時間で殺菌運転（殺菌操作）を終了することができる。
【０１３９】
また、第１および第２空調運転（第１および第２空調操作）を実施した直後に臭気レベルと設定臭気レベルとの比較を開始すると、機能水の残存する臭気によって臭気レベルが設定臭気レベルを超えた状態となる場合があり、不必要な殺菌運転（殺菌操作）が再び実施されることになるが、空調システム１０Ｃ（空調方法）は、第１空調運転または第２空調運転（第１空調操作または第２空調操作）を実施したときから３０分経過後に臭気レベルと設定臭気レベルとの比較を再開するから、機能水の残存する臭気によって臭気レベルが設定臭気レベルを超えることはなく、不必要な殺菌運転（殺菌操作）の実施を防ぐことができる。
【０１４０】
図１４は、他の一例として示す空調システム１０Ｄの構成図である。図１４のシステム１０Ｂが図６のそれと異なるところは、各空調機１２Ａ，１２Ｂに臭気センサ４６Ａ，４６Ｂが設置されている点にある。その他の構成は図６のシステム１０Ｂのそれらと同一であるから、図１や図６と同一の符号を付すとともに、図１や図６のシステム１０Ａ，１０Ｂの説明を援用することで、このシステム１０Ｄにおけるその他の構成の詳細な説明は省略する。なお、空調室１１や空調機１２の数に特に限定はなく、システム１０Ｄに３室以上の空調室１１が存在し、３台以上の空調機１２が存在してもよい。また、１台の空調機１２によって２室以上の空調室１１を空調してもよい。
【０１４１】
空調システム１０Ｄ（空調方法）は、所定容積を有する第１および第２空調室１１Ａ，１１Ｂと、それら空調室１１Ａ，１１Ｂの内部の空気を空調する第１および第２空調機１２Ａ，１２Ｂと、加湿水供給ライン１３と、第１および第２機能水供給ライン１４，１５（第１機能水供給ライン〜第ｎ機能水供給ライン）と、コントローラ１６（制御装置）と、湿度センサ１７Ａ，１７Ｂと、臭気センサ４６Ａ，４６Ｂ（ニオイセンサ）とから形成されている。なお、図１４のシステム１０Ｄでは、２本の機能水供給ライン１４，１５が設置されているが、機能水供給ラインの本数に特に限定はなく、１本の機能水供給ラインのみが設置されていてもよく、３本以上の機能水供給ラインが設置されていてもよい。
【０１４２】
それら空調室１１Ａ，１１Ｂの内部には、湿度センサ１７Ａ，１７Ｂは、それら空調室１１Ａ，１１Ｂの内部に設置され、インターフェイス１８を介してコントローラ１６に接続されている。空調室１１Ａ，１１Ｂの内部の設定湿度や設定温度は、コントローラ１６に送信される。空調機１２Ａ，１２Ｂの制御部では、コントローラ１６から送信された設定温度によって冷却コイル２０または加熱コイル２１に熱媒を流し、空調室１１Ａ，１１Ｂの温度をコントロールする。
【０１４３】
空調機１２Ａに設置された加湿エレメント２２の上端部２７につながる供給管３８，４４には、第１切換用電磁弁４７Ａが設置され、空調機１２Ａに設置された加湿エレメント２２の上端部２７につながる供給管３８，４４には、第１切換用電磁弁４７Ｂが設置されている。それら切換用電磁弁４７Ａ，４７Ｂの制御部は、インターフェイスを介してコントローラ１６に接続されている。
【０１４４】
臭気センサ４６Ａ，４６Ｂは、それら空調機１２Ａ，１２Ｂの内部に設置され、インターフェイス１８を介してコントローラ１６に接続されている。臭気センサ４６Ａ，４６Ｂは、送風機２３から流出した空調空気の臭気を計測し、計測した測定臭気をコントローラ１６に送信する。臭気センサ４６Ａ，４６Ｂは、図１０のシステム１０Ｃのそれと同一である。
【０１４５】
コントローラ１６のハードディスクには、第１および第２送水ポンプ３６，４２の稼働時間が格納され、設定臭気レベル（設定されたニオイの強さ）が格納されているとともに、第１空調運転または第２空調運転を実施したときから（ポンプ３６，４２の稼働が停止してから）測定臭気レベルと設定臭気レベルとの比較を再開（臭気センサ４６の計測を実質的に再開）するまでの時間が格納されている。第１および第２送水ポンプ３６，４２の稼働時間は、３０分が設定されているものとする。定臭気レベルは、第１設定臭気レベルとして８００が設定され、第２設定臭気レベルとして１２００が設定されているものとする。測定臭気レベルと設定臭気レベルとの比較を再開するまでの時間は、３０分が設定されているものとする。
【０１４６】
コントローラ１６は、湿度センサ１７Ａ，１７Ｂから送信された測定湿度と設定湿度と比較するとともに、臭気センサ４６Ａ，４６Ｂから送信された測定臭気レベルと設定された第１および第２設定臭気レベルとを比較する。測定臭気レベルとそれら設定臭気レベルとを比較し、測定湿度と設定湿度と比較した結果、測定臭気レベルがそれら設定臭気レベルに達していない場合であって、測定湿度が設定湿度に達していない場合、空調システム１０Ｄ（空調方法）では、第１空調運転（第１空調操作）を実施する。なお、第１空調運転は、図６のシステム１０Ｂのそれと同一であるから、図６のシステム１０Ｂの説明を援用することで、その説明は省略する。
【０１４７】
測定臭気レベルとそれら設定臭気レベルとを比較し、測定湿度と設定湿度と比較した結果、測定臭気レベルがそれら設定臭気レベルに達していない場合であって、測定湿度が設定湿度に達している場合、空調システム１０Ｄ（空調方法）では、第２空調運転（第２空調操作）を実施する。なお、第２空調運転は、図６のシステム１０Ｂのそれと同一であるから、図６のシステム１０Ｂの説明を援用することで、その説明は省略する。
【０１４８】
図１５は、空調システム１０Ｄ（空調方法）における弱殺菌運転（弱殺菌操作）の一例を説明する図である。図１５に基づいて、空調システム１０Ｄ（空調方法）における弱殺菌運転（弱殺菌操作）の一例を説明すると、以下のとおりである。臭気センサ４６Ａ，４６Ｂから送信された測定臭気レベルとそれら設定臭気レベルとを比較した結果、測定臭気レベルが第１設定臭気レベルに達しているとともに、測定臭気レベルが第２設定臭気レベルに達していない場合、空調システム１０Ｄ（空調方法）では、第２機能水供給ライン１５による弱殺菌運転を実施する。なお、臭気センサ４６Ａが計測した臭気レベルが第１設定臭気レベルに達し、臭気センサ４６Ｂが計測した臭気レベルが第１設定臭気レベルに達していないものとする。
【０１４９】
弱殺菌運転においてコントローラ１６は、臭気センサ４６Ａから測定臭気が送信されたとしても、その測定臭気レベルと設定臭気レベルとの比較は行わない（臭気センサ４６Ａの計測を実質的に停止）。弱殺菌運転では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。なお、コントローラ１６は、臭気センサ４６Ｂから送信された測定臭気レベルと設定臭気レベルとの比較を継続する。
【０１５０】
弱殺菌運転では、コントローラ１６が第２送水ポンプ４２に稼働指令を送信し、ポンプ４２の電源がＯＮとなり、ポンプ４２が稼働する。また、コントローラ１６が第１送水ポンプ３６に停止指令を送信し、ポンプ３６の電源がＯＦＦのままとなり、ポンプ３６が停止状態を保持する。さらに、コントローラ１６が第１切換用電磁弁４７Ａに開放指令を送信し、第１切換用電磁弁４７Ａがその弁機構を開放し、コントローラ１６が第２切換用電磁弁４７Ｂに閉鎖指令を送信し、第２切換用電磁弁４７Ｂがその弁機構を閉鎖する。
【０１５１】
第２送水ポンプ４２が稼働すると、図１５に矢印Ｌ３で示すように、第２機能水貯水タンク４１に貯水された第２機能水がタンク４１から機能水用第２供給管４４を通り、第１空調機１２Ａに設置された加湿エレメント２２の上端部２７からエレメント２２全域に供給される。また、第２機能水が供給管５２を通ってドレンパン２４に供給される。なお、第２切換用電磁弁４７Ｂの弁機構が閉鎖されているから、第２空調機１２Ｂに設置された加湿エレメント２２やドレンパン２４に第２機能水は給水されない。第１空調機１２Ａに設置された加湿エレメント２２では、第２機能水を保水し、余剰分をドレンパン２４に排水する。弱殺菌運転では、加湿エレメント２２が第２機能水によって殺菌され、ドレンパン２４が第２機能水によって殺菌される。
【０１５２】
第２機能水生成装置４０の制御部は、第２水位センサ４５から送信された実測水位が設定水位未満になると、第２機能水を生成しつつ、生成した第２機能水を第２機能水貯水タンク４１に供給し、第２機能水貯水タンク４１における第２機能水の貯水量を設定水位にまで回復させる。
【０１５３】
第２送水ポンプ４２が稼働してから３０分が経過し、第２送水ポンプ４２の稼働時間が経過した場合、コントローラ１６が第２送水ポンプ４２の停止時間にあると判断し、第２送水ポンプ４２に停止指令を送信し、ポンプ４２の電源がＯＦＦとなり、ポンプ４２が停止状態を保持する。コントローラ１６が加湿水用第１電磁弁３０に開放指令を送信し、加湿水用第１電磁弁３０がその弁機構を開放する。さらに、コントローラ１６が切換用第１電磁弁４７Ａに閉鎖指令を送信し、電磁弁４７Ａがその弁機構を閉鎖する。第２送水ポンプ４２が稼働してから３０分が経過し、ポンプ４２が停止した直後に第１空調運転または第２空調運転のいずれかが行われる。
【０１５４】
コントローラ１６は、第１空調運転または第２空調運転を実施したときから３０分が経過後（第２送水ポンプ４２が停止してから３０分が経過した後）、臭気センサ４６Ａから送信された測定臭気レベルと設定臭気レベルとの比較を再開する（臭気センサ４６Ａの計測を実質的に再開）。図１４の弱殺菌運転では、図１のそれと同様に、コントローラ１６が空調機１２Ａの稼働を停止する場合、または、コントローラ１６が空調機１２Ａの稼働を継続する場合がある。
【０１５５】
図１６は、空調システム１０Ｄ（空調方法）における強殺菌運転（強殺菌操作）の一例を説明する図である。図１６に基づいて、空調システム１０Ｄ（空調方法）における強殺菌運転（強殺菌操作）の一例を説明すると、以下のとおりである。臭気センサ４６Ａ，４６Ｂから送信された測定臭気レベルとそれら設定臭気レベルとを比較した結果、測定臭気レベルが第２設定臭気レベルに達している場合、空調システム１０Ｄ（空調方法）では、第２機能水供給ライン１５による強殺菌運転を実施する。なお、臭気センサ４６Ｂが計測した臭気レベルが第２設定臭気レベルに達し、臭気センサ４６Ａが計測した臭気レベルが第２設定臭気レベルに達していないものとする。
【０１５６】
強殺菌運転においてコントローラ１６は、臭気センサ４６Ｂから測定臭気が送信されたとしても、その測定臭気レベルと設定臭気レベルとの比較は行わない（臭気センサ４６Ｂの計測を実質的に停止）。強殺菌運転では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。なお、コントローラ１６は、臭気センサ４６Ａから送信された測定臭気レベルと設定臭気レベルとの比較を継続する。
【０１５７】
強殺菌運転では、コントローラ１６が第１送水ポンプ３６に稼働指令を送信し、ポンプ３６の電源がＯＮとなり、ポンプ３６が稼働する。また、コントローラ１６が第２送水ポンプ４２に停止指令を送信し、ポンプ４２の電源がＯＦＦのままとなり、ポンプ４２が停止状態を保持する。さらに、コントローラ１６が第２切換用電磁弁４７Ｂに開放指令を送信し、第２切換用電磁弁４７Ｂがその弁機構を開放し、コントローラ１６が第１切換用電磁弁４７Ａに閉鎖指令を送信し、第１切換用電磁弁４７Ａがその弁機構を閉鎖する。
【０１５８】
第１送水ポンプ３６が稼働すると、図１６に矢印Ｌ４で示すように、第１機能水貯水タンク３５に貯水された第１機能水がタンク３５から機能水用第１供給管３８を通り、第２空調機１２Ｂに設置された加湿エレメント２２の上端部２７からエレメント２２全域に供給される。また、第１機能水が供給管５２を通ってドレンパン２４に供給される。なお、第１切換用電磁弁４７Ａの弁機構が閉鎖されているから、第１空調機１２Ａに設置された加湿エレメント２２やドレンパン２４に第１機能水は給水されない。第２空調機１２Ｂに設置された加湿エレメント２２では、第１機能水を保水し、余剰分をドレンパン２４に排水する。強殺菌運転では、加湿エレメント２２が第１機能水によって殺菌され、ドレンパン２４が第１機能水によって殺菌される。
【０１５９】
第１機能水生成装置３４の制御部は、第１水位センサ３９から送信された実測水位が設定水位未満になると、第１機能水を生成しつつ、生成した第１機能水を第１機能水貯水タンク３５に供給し、第１機能水貯水タンク３５における第１機能水の貯水量を設定水位にまで回復させる。
【０１６０】
第１送水ポンプ３６が稼働してから３０分が経過し、第１送水ポンプ３６の稼働時間が経過した場合、コントローラ１６が第１送水ポンプ３６の停止時間にあると判断し、第１送水ポンプ３６に停止指令を送信し、ポンプ３６の電源がＯＦＦとなり、ポンプ３６が停止状態を保持する。コントローラ１６が加湿水用第１電磁弁３０に開放指令を送信し、加湿水用第１電磁弁３０がその弁機構を開放する。さらに、コントローラ１６が切換用第２電磁弁４７Ｂに閉鎖指令を送信し、それら電磁弁４７Ｂがその弁機構を閉鎖する。第１送水ポンプ３６が稼働してから３０分が経過し、ポンプ３６が停止した直後に第１空調運転または第２空調運転のいずれかが行われる。
【０１６１】
コントローラ１６は、第１空調運転または第２空調運転を実施したときから３０分が経過後（第１送水ポンプ３６が停止してから３０分が経過した後）、臭気センサ４６Ｂから送信された測定臭気レベルと設定臭気レベルとの比較を再開する（臭気センサ４６Ｂの計測を実質的に再開）。図１６の強殺菌運転では、図１のそれと同様に、コントローラ１６が空調機１２Ｂの稼働を停止する場合、または、コントローラ１６が空調機１２Ｂの稼働を継続する場合がある。
【０１６２】
空調システム１０Ｄ（空調方法）は、各加湿エレメント２２や各ドレンパン２４において菌が発生すると、加湿エレメント２２やドレンパン２４から臭気が発生し、その臭気を臭気センサ４６Ａ，４６Ｂによって計測することで、加湿エレメント２２やドレンパン２４における菌の発生（繁殖）を判定することができる。空調システム１０Ｄ（空調方法）は、測定臭気レベルが設定臭気レベルを超えた場合、各加湿エレメント２２や各ドレンパン２４における菌の発生（繁殖）が認められ、弱殺菌運転または強殺菌運転（殺菌操作）を実施するから、加湿エレメント２２やドレンパン２４に菌が発生（繁殖）したとしても、第１機能水または第２機能水を利用して加湿エレメント２２やドレンパン２４を確実に殺菌することができる。
【０１６３】
空調システム１０Ｄ（空調方法）は、各加湿エレメント２２や各ドレンパン２４を清潔な状態で利用することができるから、加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１Ａ，１１Ｂに供給することができる。
【０１６４】
空調システム１０Ｄ（空調方法）は、殺菌運転（殺菌操作）において臭気レベルと設定臭気レベルとの比較を停止するから、機能水の臭気によって臭気レベルが設定臭気レベルを超えることはなく、最適な時間で殺菌運転（殺菌操作）を終了することができる。第１および第２空調運転（第１および第２空調操作）を実施したときから３０分経過後に臭気レベルと設定臭気レベルとの比較を再開するから、機能水の残存する臭気によって臭気レベルが設定臭気レベルを超えることはなく、不必要な殺菌運転（殺菌操作）の実施を防ぐことができる。
【０１６５】
次に、図１４のシステム１０Ｄに基づいて、図２に示すタイムスケジュールと臭気センサ４６Ａ，４６Ｂが測定した測定臭気レベルとを併用する場合について説明する。第１および第２送水ポンプ３６，４２の停止時間（停止期間）や稼働時間（稼働期間）は、図１や図６のシステム１０Ａ，１０Ｂと同一の時間（期間）が設定されているものとする。また、測定臭気レベルと設定臭気レベルとの比較を再開するまでの時間は、図１１や図１４のシステム１０Ｃ，１０Ｄと同一の時間（期間）が設定されているものとする。
【０１６６】
空調システム１０Ｄでは、タイムスケジュールによる第１および第２空調運転よりも臭気レベルによる殺菌運転が優先されるものとする。したがって、第１および第２空調運転中に、測定臭気レベルが設定臭気レベルを超えた場合、殺菌運転が行われる。なお、空調システム１０Ｄでは、臭気レベルによる殺菌運転よりもタイムスケジュールによる殺菌運転を優先するようにすることもできる。この場合、タイムスケジュールによる殺菌運転中、臭気レベルによる殺菌運転は行われず、通常時において空調システム１０Ｄではタイムスケジュールにしたがって第１空調運転や第２空調運転、殺菌運転が行われる。
【０１６７】
第１および第２送水ポンプ３６，４２の停止時間にある場合であって、各湿度センサ１７Ａ，１７Ｂが計測した測定湿度が設定湿度に達していない場合、空調システム１０Ｄ（空調方法）では、タイムスケジュールにしたがって第１空調運転を実施する。第１空調運転は、図６のシステム１０Ｂのそれと同一であるから、図６のシステム１０Ｂの説明を援用することで、その説明は省略する。
【０１６８】
第１および第２送水ポンプ３６，４２の停止時間にある場合であって、各湿度センサ１７Ａ，１７Ｂが計測した測定湿度が設定湿度に達している場合、空調システム１０Ｄ（空調方法）では、タイムスケジュールにしたがって第２空調運転を実施する。第２空調運転は、図６のシステム１０Ｂのそれと同一であるから、図６のシステム１０Ｂの説明を援用することで、その説明は省略する。
【０１６９】
コントローラ１６は、第１空調運転または第２空調運転の実施中に、臭気センサ４６Ａ，４６Ｂから送信された測定臭気レベルとそれら設定臭気レベルとを比較する。測定臭気レベルとそれら設定臭気レベルとを比較した結果、測定臭気レベルが第１設定臭気レベルに達しているとともに、測定臭気レベルが第２設定臭気レベルに達していない場合、第１空調運転を停止し、第２機能水供給ライン１５による弱殺菌運転を実施する。なお、臭気センサ４６Ａが計測した臭気レベルが第１設定臭気レベルに達し、臭気センサ４６Ｂが計測した臭気レベルが第１設定臭気レベルに達していないものとする。
【０１７０】
弱殺菌運転においてコントローラ１６は、臭気センサ４６Ａから測定臭気が送信されたとしても、その測定臭気レベルと設定臭気レベルとの比較は行わない。弱殺菌運転では、加湿水給水ライン１３からの加湿水の給水が停止する。なお、コントローラ１６は、臭気センサ４６Ｂから送信された測定臭気レベルと設定臭気レベルとの比較を継続する。弱殺菌運転では、ポンプ４２が稼働するとともに、ポンプ３６が停止状態を保持する。さらに、第１切換用電磁弁４７Ａがその弁機構を開放し、第２切換用電磁弁４７Ｂがその弁機構を閉鎖する。
【０１７１】
弱殺菌運転では、第２機能水が第１空調機１２Ａに設置された加湿エレメント２２の上端部２７からエレメント２２全域に供給され、第２機能水が供給管５２を通ってドレンパン２４に供給される。なお、第２切換用電磁弁４７Ｂの弁機構が閉鎖されているから、第２空調機１２Ｂに設置された加湿エレメント２２やドレンパン２４に第２機能水は供給されない。弱殺菌運転では、第１空調機１２Ａの加湿エレメント２２が第２機能水によって殺菌され、ドレンパン２４が第２機能水によって殺菌される。
【０１７２】
第２送水ポンプ４２が稼働してから３０分が経過し、第２送水ポンプ４２の稼働時間が経過した場合、ポンプ４２の電源がＯＦＦとなり、ポンプ４２が停止状態を保持する。さらに、加湿水用第１電磁弁３０がその弁機構を開放し、電磁弁４７Ａがその弁機構を閉鎖する。第２送水ポンプ４２が稼働してから３０分が経過し、ポンプ４２が停止した直後にタイムスケジュールにしたがって第１空調運転または第２空調運転のいずれかが行われる。コントローラ１６は、第１空調運転または第２空調運転を実施したときから３０分が経過後（第２送水ポンプ４２が停止してから３０分が経過した後）、臭気センサ４６Ａから送信された測定臭気レベルと設定臭気レベルとの比較を再開する。
【０１７３】
コントローラ１６は、第１空調運転または第２空調運転の実施中に、測定臭気レベルとそれら設定臭気レベルとを比較した結果、測定臭気レベルが第２設定臭気レベルに達している場合、第１空調運転を停止し、第１機能水供給ライン１４による強殺菌運転を実施する。なお、臭気センサ４６Ｂが計測した臭気レベルが第２設定臭気レベルに達し、臭気センサ４６Ａが計測した臭気レベルが第２設定臭気レベルに達していないものとする。
【０１７４】
強殺菌運転においてコントローラ１６は、臭気センサ４６Ｂから測定臭気が送信されたとしても、その測定臭気レベルと設定臭気レベルとの比較は行わない。強殺菌運転では、加湿水給水ライン１３からの加湿水の給水が停止する。なお、コントローラ１６は、臭気センサ４６Ａから送信された測定臭気レベルと設定臭気レベルとの比較を継続する。強殺菌運転では、ポンプ３６が稼働するとともに、ポンプ４２が停止状態を保持する。さらに、第２切換用電磁弁４７Ｂがその弁機構を開放し、第１切換用電磁弁４７Ａがその弁機構を閉鎖する。
【０１７５】
強殺菌運転では、第１機能水が第２空調機１２Ｂに設置された加湿エレメント２２の上端部２７からエレメント２２全域に供給され、第１機能水が供給管５２を通ってドレンパン２４に供給される。なお、第１切換用電磁弁４７Ａの弁機構が閉鎖されているから、第１空調機１２Ａに設置された加湿エレメント２２やドレンパン２４に第１機能水は供給されない。強殺菌運転では、第２空調機１２Ｂの加湿エレメント２２が第１機能水によって殺菌され、ドレンパン２４が第１機能水によって殺菌される。
【０１７６】
第１送水ポンプ３６が稼働してから３０分が経過し、第１送水ポンプ３６の稼働時間が経過した場合、ポンプ３６の電源がＯＦＦとなり、ポンプ３６が停止状態を保持する。さらに、加湿水用第１電磁弁３０がその弁機構を開放し、電磁弁４７Ｂがその弁機構を閉鎖する。第１送水ポンプ３６が稼働してから３０分が経過し、ポンプ３６が停止した直後にタイムスケジュールにしたがって第１空調運転または第２空調運転のいずれかが行われる。コントローラ１６は、第１空調運転または第２空調運転を実施したときから３０分が経過後（第１送水ポンプ３６が停止してから３０分が経過した後）、臭気センサ４６Ｂから送信された測定臭気レベルと設定臭気レベルとの比較を再開する。
【０１７７】
タイムスケジュールと測定臭気レベルとを併用する空調システム１０Ｄ（空調方法）は、タイムスケジュールにしたがった第１または第２空調運転を実施中に、各加湿エレメント２２や各ドレンパン２４において菌が発生すると、加湿エレメント２２やドレンパン２４から臭気が発生し、その臭気を臭気センサ４６Ａ，４６Ｂによって計測することで、加湿エレメント２２やドレンパン２４における菌の発生（繁殖）を判定することができる。したがって、タイムスケジュールにしたがった第１または第２空調運転を実施中において、測定臭気レベルが設定臭気レベルを超えた場合、各加湿エレメント２２や各ドレンパン２４における菌の発生（繁殖）が認められ、弱殺菌運転または強殺菌運転（殺菌操作）を実施するから、加湿エレメント２２やドレンパン２４に菌が発生（繁殖）したとしても、第１機能水または第２機能水を利用して加湿エレメント２２やドレンパン２４を確実に殺菌することができる。また、タイムスケジュールにしたがって弱殺菌運転または強殺菌運転を実施するから、各加湿エレメント２２や各ドレンパン２４を清潔な状態で利用することができ、加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１Ａ，１１に供給することができる。
【０１７８】
図１７は、図１４とは異なる空調システム１０Ｄの構成図である。図１７のシステム１０Ｄが図１４のそれと異なるところは、空調機１２Ａ（第１空調機）に向かって延びていて加湿エレメント２２の上端部２７につながる給水管３８に第１切換用電磁弁４７Ａが設置され、空調機１２Ａに向かって延びていて加湿エレメント２２の上端部２７につながる給水管４４に第２切換用電磁弁４７Ｂが設置されている点、空調機１２Ｂ（第２空調機）に向かって延びていて加湿エレメント２２の上端部２７につながる給水管３８に第３切換用電磁弁４７Ｃが設置され、空調機１２Ｂに向かって延びていて加湿エレメント２２の上端部２７につながる給水管４４に第４切換用電磁弁４７Ｄが設置されている点にある。第１〜第４切換用電磁弁４７Ａ〜４７Ｄは、インターフェイス１８を介してコントローラ１６に接続されている。
【０１７９】
図１７に示すシステム１０Ｄにおけるその他の構成は図１４のシステム１０Ｄのそれらと同一であるから、図１４と同一の符号を付すとともに、図１４のシステム１０Ｄの説明を援用することで、それらの説明は省略する。図１７のシステム１０Ｄは、それら給水管３８，４４に第１〜第４切換用電磁弁４７Ａ〜４７Ｄを設置し、第１〜第４切換用電磁弁４７Ａ〜４７Ｄを利用して第１および第２機能水の供給切替えを行うことで、たとえば、臭気センサ４６Ａが測定した測定臭気レベルが高く、臭気センサ４６Ｂが測定した測定臭気レベルが低い場合、空調機１２Ａにおいて強殺菌運転を実施し、空調機１２Ｂにおいて弱殺菌運転を実施することができる。また、臭気センサ４６Ａが測定した測定臭気レベルが低く、臭気センサ４６Ｂが測定した測定臭気レベルが高い場合、空調機１２Ａにおいて弱殺菌運転を実施し、空調機１２Ｂにおいて強殺菌運転を実施することができる。なお、空調機１２Ａ，１２Ｂにおいて弱殺菌運転または強殺菌運転のいずれかが行えることはいうまでもない。
【０１８０】
図１７のシステム１０Ｄは、空調機１２Ａ，１２Ｂの一方において弱殺菌運転を実施し、他方において強殺菌運転を実施することができるから、臭気センサ４６Ａ，４６Ｂが測定した測定臭気レベルの高低、菌の繁殖の度合い、加湿エレメント２２やドレンパン２４の使用年数、空調機１２Ａ，１２Ｂの新旧等の条件に応じて強弱いずれかの殺菌運転を各空調機１２Ａ，１２Ｂに適用することができ、それら空調機１２Ａ，１２Ｂの加湿エレメント２２やドレンパン２４を清潔な状態にすることができる。
【０１８１】
図１８は、他の一例として示す空調システム１０Ｅの構成図である。図１８のシステム１０Ｅが図１のそれと異なるところは、加湿機構として噴霧式を採用する空調機５１が設置されている点にある。このシステム１０Ｅのその他の構成は図１のシステム１０Ａと同一であるから図１と同一の符号を付すとともに、図１の説明を援用することで、このシステム１０Ｅのその他の構成の説明は省略する。
【０１８２】
空調機５１は、ハウジング１９と、冷却コイル２０および加熱コイル２１と、噴霧式加湿機構および送風機２３（ファン）と、ドレンパン２４と、制御部（図示せず）とから形成されている。空調機１２の制御部は、インターフェイス１８を介してコントローラ１６に接続されている。
【０１８３】
ハウジング１９には、空気流入口と空気流出口とが形成されている。空調機５１では、空気流入口から空気流出口に向かって、冷却コイル２０、加熱コイル２１、噴霧式加湿機構、送風機２３の順で並んでいる。空調機１２では、コントローラ１６から送信された設定温度によって冷却コイル２０または加熱コイル２１に熱媒を流し、空調室１１の温度や湿度をコントロールする。
【０１８４】
噴霧式加湿機構は、噴霧装置４９とエリミネーター５０とから形成されている。噴霧装置４９は、加湿水供給ライン１３から水を噴霧する。噴霧装置４９とエリミネーター５０とは、第１および第２機能水供給ライン１４，１５から供給される機能水を保水し、機能水のうちの余剰分をドレンパン２４に排水する。
【０１８５】
なお、加湿水供給ライン１３には、第１加湿水用電磁弁３０に替えて、加湿水送水ポンプ４８が加湿水用給水管３３に取り付けられている。加湿水送水ポンプ４８は、インターフェイス１８を介してコントローラ１６に接続されている。空調機５１は、システム１０Ａと同様のシステム１０Ｅに使用されているが、システム１０Ｂ〜１０Ｄに使用することもできる。空調機５１は、第１および第２機能水供給ライン１４，１５から給水される機能水によって噴霧装置４９やエリミネーター５０、ドレンパン２４が殺菌される。
【符号の説明】
【０１８６】
１０Ａ〜１０Ｅ  室調システム
１１    空調室
１１Ａ    第１空調室
１１Ｂ    第２空調室
１２    空調機
１２Ａ    第１空調機
１２Ｂ    第２空調機
１３    加湿水供給ライン
１４    第１機能水供給
１５    第２機能水供給
１６    コントローラ
１７    湿度センサ
１７Ａ，１７Ｂ    湿度センサ
２２    加湿エレメント（加湿機構）
２４    ドレンパン
３４    第１機能水生成装置（機能水生成装置）
３５    第１機能水貯水タンク（機能水貯水タンク）
３６    第１送水ポンプ（送水ポンプ）
３９    第１水位センサ（水位計）
４０    第２機能水生成装置（機能水生成装置）
４１    第２機能水貯水タンク（機能水貯水タンク）
４２    第２送水ポンプ（送水ポンプ）
４５    第２水位センサ（水位計）
４６    臭気センサ
４６Ａ    第１臭気センサ
４６Ｂ    第２臭気センサ
４７Ａ    第１切換用電磁弁
４７Ｂ    第２切換用電磁弁
４８    加湿水送水ポンプ
４９    噴霧装置
５０    エリミネーター
５１    空調機
【図１】
2013053767.tif 000003
【図２】
2013053767.tif 000004
【図３】
2013053767.tif 000005
【図４】
2013053767.tif 000006
【図５】
2013053767.tif 000007
【図６】
2013053767.tif 000008
【図７】
2013053767.tif 000009
【図８】
2013053767.tif 000010
【図９】
2013053767.tif 000011
【図１０】
2013053767.tif 000012
【図１１】
2013053767.tif 000013
【図１２】
2013053767.tif 000014
【図１３】
2013053767.tif 000015
【図１４】
2013053767.tif 000016
【図１５】
2013053767.tif 000017
【図１６】
2013053767.tif 000018
【図１７】
2013053767.tif 000019
【図１８】
2013053767.tif 000020